(57)【要約】  画像形成装置（１）に、受付部（１１）と、受付部（１１）により受け付けられた受付ジョブの実行指示に含まれる余白情報に基づき、当該受付ジョブの実行により得られる複数枚の出力用紙の配列パターンを予測する予測部（１２）と、余白情報に基づき、複数枚の出力用紙における各余白領域の面積の総和が、予測された予測配列パターンに対応付けられた閾値よりも大きいか否かを判定する判定部（１３）と、前記大きいと判定された場合、形成対象の各画像を予測配列パターンで配列した全体画像（ＤＡ）を、当該予測配列パターンよりも少ない枚数の用紙を配列する変更配列パターンで配列した用紙に収まるように縮小し、当該変更配列パターンで配列した用紙に形成する調整印刷部（１５）と、を備える。
2016121774.tif 000002
【特許請求の範囲】
【請求項１】
複数枚の用紙のそれぞれに画像を形成する印刷ジョブの実行指示を受け付ける受付部と、
前記受付部により受け付けられた受付ジョブの実行指示に含まれる、各用紙における画像を形成しない余白領域を示す余白情報に基づき、当該受付ジョブの実行により得られる前記複数枚の出力用紙の配列パターンを予測する予測部と、
前記余白情報に基づき、前記複数枚の出力用紙における各前記余白領域の面積の総和が、前記予測部により予測された予測配列パターンに対応付けられた閾値よりも大きいか否かを判定する判定部と、
前記判定部により前記総和が前記閾値よりも大きいと判定された場合に、前記受付ジョブによる形成対象の各画像を前記予測配列パターンで配列した全体画像を、前記予測配列パターンに対応付けられた、当該予測配列パターンよりも少ない枚数の用紙を配列する変更配列パターンで配列した用紙に収まるように縮小し、当該縮小後の前記全体画像を当該変更配列パターンで配列した用紙に形成する調整印刷処理を実行する調整印刷部と、
を備える画像形成装置。
【請求項２】
各前記配列パターンに対応付けて一以上の前記変更配列パターンが定められ、
表示部と、
前記判定部により前記総和が前記閾値よりも大きいと判定された場合、前記調整印刷部による前記調整印刷処理の実行前に、前記受付ジョブをそのまま実行させる優先指示又は前記予測配列パターンに対応付けられた前記一以上の変更配列パターンの中から何れか一の変更配列パターンを選択する選択指示が入力可能な第一操作画面を前記表示部に表示する表示制御部と、
を更に備え、
前記調整印刷部は、
前記第一操作画面において前記優先指示が入力された場合、前記受付ジョブをそのまま実行し、
前記第一操作画面において前記選択指示が入力された場合、当該選択指示が示す前記一の変更配列パターンを用いて前記調整印刷処理を実行する請求項１に記載の画像形成装置。
【請求項３】
前記第一操作画面は、更に、プレビューの実行指示が入力可能であり、
前記調整印刷部は、
前記第一操作画面において前記優先指示及び前記プレビューの実行指示が入力された場合、前記複数枚の出力用紙を前記予測配列パターンで配列した結果を表す画像を前記表示部に表示し、
前記第一操作画面において前記選択指示及び前記プレビューの実行指示が入力された場合、当該選択指示が示す前記一の変更配列パターンを用いた前記調整印刷処理の実行により得られる用紙を前記一の変更配列パターンで配列した結果を表す画像を前記表示部に表示する請求項２に記載の画像形成装置。
【請求項４】
自動調整指示又は手動調整指示が入力可能な第二操作画面を前記表示部に表示し、
前記第二操作画面において前記自動調整指示が入力された場合、前記調整印刷部に前記調整印刷処理を実行させ、
前記第二操作画面において前記手動調整指示が入力された場合、前記調整印刷部による前記調整印刷処理の実行前に、前記表示制御部に前記第一操作画面を表示させる調整切替部を更に備える請求項２に記載の画像形成装置。
【請求項５】
用紙を縦方向に二枚以上配列する前記配列パターンには、当該配列パターンよりも前記縦方向に配列する用紙の枚数が一枚少ない前記変更配列パターンが対応付けられている請求項１に記載の画像形成装置。
【請求項６】
用紙を横方向に二枚以上配列する前記配列パターンには、当該配列パターンよりも前記横方向に配列する用紙の枚数が一枚少ない前記変更配列パターンが対応付けられている請求項１に記載の画像形成装置。
【請求項７】
縦方向に二枚以下の用紙を配列し、且つ、横方向に二枚以下の用紙を配列する前記配列パターンには、用紙を一枚だけ配列する前記変更配列パターンが対応付けられている請求項１に記載の画像形成装置。
【請求項８】
用紙を縦方向に一枚且つ横方向に三枚以上配列する前記配列パターン、及び、用紙を横方向に一枚且つ縦方向に三枚以上配列する前記配列パターンに対応付けられた前記閾値は、当該各配列パターンで配列する全ての用紙の総面積に定められている請求項１に記載の画像形成装置。
【請求項９】
前記調整印刷部は、前記受付ジョブの実行指示に、当該実行指示が所定の表計算ソフトウェアにより生成されたことを示す情報が含まれていない場合、前記受付ジョブをそのまま実行する請求項１に記載の画像形成装置。
【請求項１０】
一枚の用紙に画像を形成する印刷ジョブの実行指示を受け付ける受付部と、
前記受付部により受け付けられた受付ジョブの実行指示に含まれる、前記一枚の用紙における画像を形成する描画領域と画像を形成しない余白領域とを示す領域情報に基づき、前記描画領域よりも左右方向に存在する前記余白領域の第一面積が予め定められた第一閾値よりも大きいか否かを判定する第一判定部と、
前記領域情報に基づき、前記描画領域よりも上下方向に存在する前記余白領域の第二面積が予め定められた第二閾値よりも大きいか否かを判定する第二判定部と、
前記第一判定部により前記第一面積が前記第一閾値よりも大きいと判定された場合、又は、前記第二判定部により前記第二面積が前記第二閾値よりも大きいと判定された場合、前記受付ジョブによる形成対象の画像を、前記第一面積又は前記第二面積が小さくなるように拡大し、当該拡大後の画像を一枚以上の用紙に形成する調整印刷処理を実行する調整印刷部と、
を備える画像形成装置。
【請求項１１】
表示部と、
前記第一判定部により前記第一面積が前記第一閾値よりも大きいと判定された場合、又は、前記第二判定部により前記第二面積が前記第二閾値よりも大きいと判定された場合、前記調整印刷部による前記調整印刷処理の実行前に、前記受付ジョブをそのまま実行させる優先指示、又は、前記受付ジョブによる形成対象の画像を前記第一面積が小さくなるように拡大する第一調整印刷処理若しくは前記受付ジョブによる形成対象の画像を前記第二面積が小さくなるように拡大する第二調整印刷処理を選択する選択指示が入力可能な第一操作画面を前記表示部に表示する表示制御部と、
を更に備え、
前記調整印刷部は、
前記第一操作画面において前記優先指示が入力された場合、前記受付ジョブをそのまま実行し、
前記第一操作画面において前記選択指示が入力された場合、当該選択指示が示す前記第一調整印刷処理又は前記第二調整印刷処理を実行する請求項１０に記載の画像形成装置。
【請求項１２】
前記選択指示には、前記受付ジョブによる形成対象の画像を前記第一面積及び前記第二面積のうち小さい方の面積が小さくなるように拡大する前記調整印刷処理を選択する選択指示が含まれる請求項１１に記載の画像形成装置。
【請求項１３】
前記第一操作画面は、更に、プレビューの実行指示が入力可能であり、
前記調整印刷部は、
前記第一操作画面において前記優先指示及び前記プレビューの実行指示が入力された場合、前記受付ジョブの実行により得られる前記一枚の用紙を表す画像を前記表示部に表示し、
前記第一操作画面において前記選択指示及び前記プレビューの実行指示が入力された場合、当該選択指示が示す前記第一調整印刷処理又は前記第二調整印刷処理の実行により得られる、前記一枚以上の用紙を表す画像を前記表示部に表示する請求項１１に記載の画像形成装置。
【請求項１４】
自動調整指示又は手動調整指示が入力可能な第二操作画面を前記表示部に表示し、
前記第二操作画面において前記自動調整指示が入力された場合、前記調整印刷部に前記調整印刷処理を実行させ、
前記第二操作画面において前記手動調整指示が入力された場合、前記調整印刷部による前記調整印刷処理の実行前に、前記表示制御部に前記第一操作画面を表示させる調整切替部を更に備える請求項１１に記載の画像形成装置。
【請求項１５】
前記調整印刷部は、
前記受付ジョブによる形成対象の画像を前記第一面積が小さくなるように拡大する第一調整印刷処理において、前記受付ジョブによる形成対象の画像を、前記第一面積が０になるように拡大し、
前記受付ジョブによる形成対象の画像を前記第一面積が小さくなるように拡大する第二調整印刷処理において、前記受付ジョブによる形成対象の画像を、前記第二面積が０になるように拡大する請求項１０に記載の画像形成装置。
【請求項１６】
前記調整印刷部は、前記受付ジョブの実行指示に、当該実行指示が所定の表計算ソフトウェアにより生成されたことを示す情報が含まれていない場合、前記受付ジョブをそのまま実行する請求項１０に記載の画像形成装置。
【発明の詳細な説明】
【技術分野】
【０００１】
本発明は、画像形成装置に関し、特に、受け付けた印刷ジョブの実行指示に基づいて印刷ジョブを実行する技術に関する。
【背景技術】
【０００２】
従来から、パソコン上のソフトウェアで編集した文章、表、或いは写真等の編集物を表す画像を印刷するために、プリンター等の画像形成装置に実行させる印刷ジョブの実行指示をプリンタードライバー等を用いて生成することが行われている。【０００３】
しかし、例えば、表等を表す矩形の画像を印刷する場合等に、ユーザーが出力用紙のサイズや印刷範囲等の印刷条件を適切に入力せず、印刷条件が初期設定された状態で、印刷ジョブの実行指示が生成されることがある。このような実行指示に基づき印刷ジョブが実行された場合、ユーザーが意図していたよりも多くの枚数の用紙に画像がはみ出るように形成される等、ユーザーの意図しないレイアウトで画像が形成された用紙が出力される虞がある。この場合、ユーザーは、出力された用紙を適切に配列しなければ画像を視認できない等の不便さを感じ、印刷ジョブの実行指示を生成し直すことになる。その結果、先に出力された用紙が無駄になるとともに、再び印刷ジョブの実行指示を生成し直す手間が必要になる虞があった。【０００４】
そこで、例えば下記特許文献１には、入手した印刷データに基づいて、ページ毎に、印刷されるデータが収まるべきページとは別のページにはみ出して印刷されるか否かを判定することが記載されている。そして、はみ出して印刷されると判定した場合は、印刷を続行するか否かをユーザーに選択させる、或いは、はみ出して印刷されると判定されたデータの画像を自動的に縮小して、収まるべきページに印刷させることにより、無駄な印刷を防いで利便性を向上することが記載されている。【０００５】
例えば、列数や行数の多い表等の面積の大きい矩形の画像を印刷する場合、ユーザーは、縦方向及び横方向にそれぞれ複数枚配列した用紙に収まるように当該画像を形成することを意図する場合がある。【０００６】
しかし、上記特許文献１に記載の技術では、印刷ジョブの実行指示に基づいて、用紙毎に、各用紙に収まるように画像が形成されるか否かを判断し、用紙単位で、ユーザーが意図したように画像が形成されるか否かを判断している。このため、上記特許文献１に記載の技術において、上記のように、ユーザーが、意図して配列した複数枚の用紙に収まるように画像を形成する印刷ジョブの実行指示を生成したとする。この場合、当該印刷ジョブの実行指示に基づいて、用紙単位で上記判断を行うと、一部の用紙については当該用紙に収まるように画像が形成されると判断し、他の用紙については当該用紙に収まるように画像が形成されないと判断する虞があった。【０００７】
この場合、複数枚の用紙のうち、一部の用紙には印刷ジョブの実行指示に従って画像が縮小されずにそのまま形成され、他の用紙には縮小された画像が形成される。その結果、ユーザーは、意図したレイアウトで画像が形成された一組の複数枚の用紙を得ることを望んでいたにも関わらず、意図した一組の複数枚の用紙を得られない虞があった。これにより、出力された複数枚の用紙全てが無駄になる虞があった。また、複数枚の用紙に画像を形成するための条件を入力し直す等して、再び印刷ジョブの実行指示を生成し直す手間が必要になる虞があった。【０００８】
一方、ユーザーは、画像の編集中に、当該画像の印刷結果をプレビューしようとして、編集中の画像の大きさに応じた印刷範囲を印刷条件として設定することがある。その後、ユーザーは、編集後の画像の大きさが編集中よりも小さくなっているにも関わらず、印刷条件を設定し直さないまま印刷ジョブの実行指示を生成する場合がある。【０００９】
このような実行指示に基づき印刷ジョブが実行された場合、ユーザーが意図していたよりも小さく画像が形成された余白の多い用紙が出力され、ユーザーの意図しないレイアウトで画像が形成された用紙が出力される虞があった。この場合、ユーザーは、画像を視認し難いことに不便さを感じ、印刷ジョブの実行指示を生成し直すことになる。その結果、ユーザーは、再び印刷ジョブの実行指示を生成し直す手間をかけることに煩わしさを感じる虞があった。【００１０】
上記のように印刷条件を設定し直さないまま印刷ジョブの実行指示が生成された場合に、上記特許文献１に記載の技術を用いたとしても、当該印刷ジョブの実行指示に基づいて、用紙に収まるように画像が形成されると判断することになる。当該判断結果に応じて、印刷ジョブがそのまま実行されると、ユーザーの意図しないレイアウトで画像が形成された用紙が出力される虞があった。その結果、ユーザーは、再び印刷ジョブの実行指示を生成し直す手間をかけることに煩わしさを感じる虞があった。
【先行技術文献】
【特許文献】
【００１１】
【特許文献１】特開２００３−２０８２７９号公報
【発明の概要】
【００１２】
本発明の目的は、受け付けた印刷ジョブの実行指示に基づいて当該印刷ジョブを実行した場合に、ユーザーが意図していないレイアウトで画像が形成された用紙が出力される虞を低減することができる画像形成装置を提供することにある。
【００１３】
本発明の一局面に係る画像形成装置は、複数枚の用紙のそれぞれに画像を形成する印刷ジョブの実行指示を受け付ける受付部と、前記受付部により受け付けられた受付ジョブの実行指示に含まれる、各用紙における画像を形成しない余白領域を示す余白情報に基づき、当該受付ジョブの実行により得られる前記複数枚の出力用紙の配列パターンを予測する予測部と、前記余白情報に基づき、前記複数枚の出力用紙における各前記余白領域の面積の総和が、前記予測部により予測された予測配列パターンに対応付けられた閾値よりも大きいか否かを判定する判定部と、前記判定部により前記総和が前記閾値よりも大きいと判定された場合に、前記受付ジョブによる形成対象の各画像を前記予測配列パターンで配列した全体画像を、前記予測配列パターンに対応付けられた、当該予測配列パターンよりも少ない枚数の用紙を配列する変更配列パターンで配列した用紙に収まるように縮小し、当該縮小後の前記全体画像を当該変更配列パターンで配列した用紙に形成する調整印刷処理を実行する調整印刷部と、を備える。
【００１４】
本発明の別の一局面に係る画像形成装置は、一枚の用紙に画像を形成する印刷ジョブの実行指示を受け付ける受付部と、前記受付部により受け付けられた受付ジョブの実行指示に含まれる、前記一枚の用紙における画像を形成する描画領域と画像を形成しない余白領域とを示す領域情報に基づき、前記描画領域よりも左右方向に存在する前記余白領域の第一面積が予め定められた第一閾値よりも大きいか否かを判定する第一判定部と、前記領域情報に基づき、前記描画領域よりも上下方向に存在する前記余白領域の第二面積が予め定められた第二閾値よりも大きいか否かを判定する第二判定部と、前記第一判定部により前記第一面積が前記第一閾値よりも大きいと判定された場合、又は、前記第二判定部により前記第二面積が前記第二閾値よりも大きいと判定された場合、前記受付ジョブによる形成対象の画像を、前記第一面積又は前記第二面積が小さくなるように拡大し、当該拡大後の画像を一枚以上の用紙に形成する調整印刷処理を実行する調整印刷部と、を備える。
【００１５】
本発明によれば、受け付けた印刷ジョブの実行指示に基づいて当該印刷ジョブを実行した場合に、ユーザーが意図していないレイアウトで画像が形成された用紙が出力される虞を低減することができる画像形成装置が提供される。
【図面の簡単な説明】
【００１６】
【図１】図１は、本発明に係る画像形成装置の第一実施形態に係るプリンターの電気的構成を示すブロック図である。
【図２Ａ】図２Ａは、複数枚の出力用紙を縦方向に配列する配列パターンを予測部が予測する具体例を示す図である。
【図２Ｂ】図２Ｂは、複数枚の出力用紙を横方向に配列する配列パターンを予測部が予測する具体例を示す図である。
【図３】図３は、縦横両方向に複数枚の出力用紙を配列する配列パターンを予測部が予測する具体例を示す図である。
【図４Ａ】図４Ａは、配列パターンに対応付けられた閾値を示す図である。
【図４Ｂ】図４Ｂは、配列パターンに対応付けられた閾値を示す図である。
【図４Ｃ】図４Ｃは、配列パターンに対応付けられた閾値を示す図である。
【図４Ｄ】図４Ｄは、配列パターンに対応付けられた閾値を示す図である。
【図５Ａ】図５Ａは、配列パターンに対応付けられた閾値を示す図である。
【図５Ｂ】図５Ｂは、配列パターンに対応付けられた閾値を示す図である。
【図５Ｃ】図５Ｃは、配列パターンに対応付けられた閾値を示す図である。
【図６】図６は、各配列パターンに対応付けられた変更配列パターンを示す図である。
【図７】図７は、制御部が印刷ジョブの実行指示に基づいて画像形成部に画像を用紙に形成させる動作を示すフローチャートである。
【図８】図８は、予測配列パターンが、用紙を縦方向に二枚、横方向に二枚配列する配列パターンである場合における図７に示す動作の具体例を示す図である。
【図９】図９は、第一操作画面の一例を示す図である。
【図１０Ａ】図１０Ａは、予測配列パターンが、用紙を縦方向に三枚以上、横方向に一枚配列する配列パターンである場合における図７に示す動作の具体例を示す図である。
【図１０Ｂ】図１０Ｂは、予測配列パターンが、用紙を縦方向に一枚、横方向に三枚以上配列する配列パターンである場合における図７に示す動作の具体例を示す図である。
【図１０Ｃ】図１０Ｃは、予測配列パターンが、用紙を縦方向に三枚以上、横方向に三枚以上配列する配列パターンである場合における図７に示す動作の具体例を示す図である。
【図１１Ａ】図１１Ａは、受付ジョブをそのまま実行する実行指示及びプレビューの実行指示が受け付けられた場合に表示されるプレビュー画面を示す図である。
【図１１Ｂ】図１１Ｂは、変更配列パターンを選択する選択指示及びプレビューの実行指示が受け付けられた場合に表示されるプレビュー画面を示す図である。
【図１１Ｃ】図１１Ｃは、変更配列パターンを選択する選択指示及びプレビューの実行指示が受け付けられた場合に表示されるプレビュー画面を示す図である。
【図１１Ｄ】図１１Ｄは、変更配列パターンを選択する選択指示及びプレビューの実行指示が受け付けられた場合に表示されるプレビュー画面を示す図である。
【図１２Ａ】図１２Ａは、予測配列パターンが、用紙を縦方向に三枚以上、横方向に二枚配列する配列パターンである場合における図７に示す動作の具体例を示す図である。
【図１２Ｂ】図１２Ｂは、予測配列パターンが、用紙を縦方向に二枚、横方向に三枚以上配列する配列パターンである場合における図７に示す動作の具体例を示す図である。
【図１３Ａ】図１３Ａは、予測配列パターンが、用紙を縦方向に二枚、横方向に一枚配列する配列パターンである場合における図７に示す動作の具体例を示す図である。
【図１３Ｂ】図１３Ｂは、予測配列パターンが、用紙を縦方向に一枚、横方向に二枚配列する配列パターンである場合における図７に示す動作の具体例を示す図である。
【図１４】図１４は、第二操作画面の一例を示す図である。
【図１５】図１５は、本発明に係る画像形成装置の第二実施形態に係るプリンターの電気的構成を示すブロック図である。
【図１６】図１６は、第一面積、第二面積、第一閾値及び第二閾値の関係を示す図である。
【図１７】図１７は、制御部が印刷ジョブの実行指示に基づいて画像形成部に画像を用紙に形成させる動作を示すフローチャートである。
【図１８】図１８は、第一判定部により第一面積が第一閾値よりも大きいと判定され、且つ、第二判定部により第二面積が第二閾値よりも大きいと判定された場合における図１７に示す動作の具体例を示す図である。
【図１９】図１９は、第一操作画面の一例を示す図である。
【図２０】図２０は、第一判定部により第一面積が第一閾値以下であると判定され、且つ、第二判定部により第二面積が第二閾値以下であると判定された場合における、図１７に示す動作の具体例を示す図である。
【図２１Ａ】図２１Ａは、受付ジョブをそのまま実行する優先指示及びプレビューの実行指示が受け付けられた場合に表示されるプレビュー画面を示す図である。
【図２１Ｂ】図２１Ｂは、選択指示及びプレビューの実行指示が受け付けられた場合に表示されるプレビュー画面を示す図である。
【図２１Ｃ】図２１Ｃは、選択指示及びプレビューの実行指示が受け付けられた場合に表示されるプレビュー画面を示す図である。
【図２１Ｄ】図２１Ｄは、選択指示及びプレビューの実行指示が受け付けられた場合に表示されるプレビュー画面を示す図である。
【図２２】図２２は、第一判定部により第一面積が第一閾値以下であると判定され、且つ、第二判定部により第二面積が第二閾値よりも大きいと判定された場合における図１７に示す動作の具体例を示す図である。
【図２３】図２３は、第一判定部により第一面積が第一閾値よりも大きいと判定され、且つ、第二判定部により第二面積が第二閾値以下であると判定された場合における図１７に示す動作の具体例を示す図である。
【図２４】図２４は、第二操作画面の一例を示す図である。
【図２５】図２５は、図１８に示す具体列において、第二実施形態の変形実施形態における第一調整印刷処理及び第二調整印刷処理が行われたときの具体例を示す図である。
【発明を実施するための形態】
【００１７】
（第一実施形態）
以下、本発明に係る画像形成装置の第一実施形態を図面に基づいて説明する。尚、本実施形態では、画像形成装置としてプリンターを例に説明するが、これに限定する趣旨ではなく、画像形成装置は、例えば、ファクシミリ装置又は複合機であってもよい。
【００１８】
図１は、本発明に係る画像形成装置の第一実施形態に係るプリンター１の電気的構成を示すブロック図である。図１に示すように、プリンター１は、画像形成部２２と、操作部２３と、通信部２４と、制御部１０と、を備えている。
【００１９】
画像形成部２２は、制御部１０による制御の下、用紙に画像を形成する。具体的には、画像形成部２２は、感光体ドラム、帯電部、露光部、現像部、クリーニング部等を備えた周知の構成を有する。画像形成部２２による、用紙に画像を形成する画像形成動作については、周知であるので、説明を省略する。
【００２０】
操作部２３は、情報を表示するための表示部２３１と、ユーザーによって各種指示の操作を行わせるための操作キー部２３２と、を備えている。表示部２３１は、例えばタッチパネル機能を有する液晶ディスプレイ等であり、各種情報を表示する。操作キー部２３２は、例えば、数値や記号を入力するためのテンキーや、表示部２３１に表示されたポインター（カーソル）を移動させるための方向キー等の各種キーを含む。
【００２１】
通信部２４は、ＬＡＮ（Ｌｏｃａｌ  Ａｒｅａ  Ｎｅｔｗｏｒｋ）等の不図示のネットワークに接続されている。通信部２４は、当該ネットワークに接続されたパソコン等の外部装置との間で通信を実行するための通信インターフェイス回路である。通信部２４は、例えば、外部装置から送信されてきた印刷ジョブの実行指示を受信する。印刷ジョブとは、画像形成部２２に画像を用紙に形成させるジョブである。
【００２２】
制御部１０は、例えば、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ等の不図示の不揮発性メモリーと、データを一時的に記憶するための不図示のＲＡＭ（Ｒａｎｄｏｍ  Ａｃｃｅｓｓ  Ｍｅｍｏｒｙ）と、これらの周辺回路等とを備えている。制御部１０は、不揮発性メモリー等に記憶された制御プログラムをＣＰＵによって実行することによって各種処理を実行し、プリンター１の各部の動作を制御する。
【００２３】
例えば、制御部１０は、通信部２４によって印刷ジョブの実行指示が受信されると、当該印刷ジョブの実行指示に基づいて、画像形成部２２に画像を用紙に形成させる。制御部１０は、印刷ジョブの実行指示に基づいて画像形成部２２に画像を用紙に形成させる動作に関し、特に、図１の実線部に示すように、受付部１１、予測部１２、判定部１３、調整印刷部１５、及び表示制御部１６として動作する。また、制御部１０は、上記不揮発性メモリーの記憶領域の一部を、パターン記憶部１４として用いる。
【００２４】
受付部１１は、ユーザーによる表示部２３１のタッチ操作や操作キー部２３２の操作により入力されたプリンター１に対する各種指示を受け付ける。また、受付部１１は、外部装置から送信されてきた複数枚の用紙のそれぞれに画像を形成する印刷ジョブの実行指示が通信部２４によって受信された場合に、当該印刷ジョブの実行指示を受け付ける。
【００２５】
具体的には、印刷ジョブの実行指示には、各用紙に形成する対象の画像を表す画像データ、生成ソフト情報、出力枚数情報、用紙サイズ情報、描画領域情報、余白情報等が含まれる。生成ソフト情報は、当該印刷ジョブの実行指示を生成したソフトウェアを示す情報である。出力枚数情報は、当該印刷ジョブの実行により画像が形成される用紙の総枚数を示す情報である。用紙サイズ情報は、各用紙のサイズを示す情報である。描画領域情報は、各用紙における画像を形成する描画領域を示す情報である。余白情報は、各用紙における画像を形成しない余白領域を示す情報である。以下、受付部１１により受け付けられた印刷ジョブの実行指示を、受付ジョブの実行指示と記載する。
【００２６】
予測部１２は、受付ジョブの実行指示に含まれる余白情報に基づき、当該受付ジョブの実行により得られる複数枚の出力用紙の配列パターンを予測する。
【００２７】
以下、受付ジョブの実行により得られる複数枚の出力用紙を配列する配列パターンを予測部１２が予測する具体例について説明する。図２Ａは、複数枚の出力用紙を縦方向に配列する配列パターンを予測部１２が予測する具体例を示す図である。例えば、図２Ａの左部に示すように、受付ジョブが、三枚の出力用紙Ｐ１、Ｐ２、Ｐ３のそれぞれに画像Ｄ１、Ｄ２、Ｄ３を形成する印刷ジョブであるとする。そして、当該受付ジョブの実行指示に、一枚目の出力用紙Ｐ１における余白領域Ｂ１、二枚目の出力用紙Ｐ２における余白領域Ｂ２、及び三枚目の出力用紙Ｐ３における余白領域Ｂ３を示す余白情報が含まれているとする。
【００２８】
この場合、予測部１２は、余白情報に基づき、出力用紙Ｐ１における余白領域Ｂ１が出力用紙Ｐ１の右端に存在することを把握する。これにより、予測部１２は、次の出力用紙Ｐ２を、出力用紙Ｐ１の右には配列せず、出力用紙Ｐ１の下に配列する可能性があると予測する。以下、出力用紙の左右方向（図中のＸ方向）を横方向、上下方向（図中のＹ方向）を縦方向と記載する。
【００２９】
次に、予測部１２は、余白情報に基づき、出力用紙Ｐ２における余白領域Ｂ２が出力用紙Ｐ２の右端に存在し、且つ、余白領域Ｂ２の横方向の長さが余白領域Ｂ１の横方向の長さと同じであることを把握する。これにより、予測部１２は、出力用紙Ｐ２を出力用紙Ｐ１の下に配列すると予測する。また、予測部１２は、次の出力用紙Ｐ３を、出力用紙Ｐ２の下に配列する可能性があると予測する。
【００３０】
そして、予測部１２は、出力用紙Ｐ３における余白領域Ｂ３が、出力用紙Ｐ３の右端から出力用紙Ｐ３の下部全体にわたる旗状に存在し、且つ、上記右端部の余白領域Ｂ３の横方向の長さが余白領域Ｂ２の横方向の長さと同じであることを把握する。これにより、予測部１２は、出力用紙Ｐ３を出力用紙Ｐ２の下に配列すると予測する。
【００３１】
つまり、この場合、予測部１２は、図２Ａの右部に示すように、三枚の出力用紙Ｐ１、Ｐ２、Ｐ３の配列パターンが、用紙を縦方向に三枚、横方向に一枚配列する配列パターンＹ３Ｘ１であると予測する。以下では、縦方向（Ｙ方向）に用紙をｒ枚配列し、横方向（Ｘ方向）に用紙をｃ枚配列する配列パターンには、符号「ＹｒＸｃ」を付す。つまり、配列パターンＹ３Ｘ１は、縦方向に用紙を三枚配列し、横方向に用紙を一枚配列する配列パターンであることを示す。
【００３２】
別の具体例について説明する。図２Ｂは、複数枚の用紙を横方向に配列する配列パターンを予測部１２が予測する具体例を示す図である。図２Ｂの左部に示すように、上記具体例と同様、受付ジョブが三枚の出力用紙Ｐ１、Ｐ２、Ｐ３のそれぞれに画像Ｄ１、Ｄ２、Ｄ３を形成する印刷ジョブであるとする。そして、当該受付ジョブの実行指示に、一枚目の出力用紙Ｐ１における余白領域Ｂ１、二枚目の出力用紙Ｐ２における余白領域Ｂ２、及び三枚目の出力用紙Ｐ３における余白領域Ｂ３を示す余白情報が含まれているとする。
【００３３】
この場合、予測部１２は、余白情報に基づき、出力用紙Ｐ１における余白領域Ｂ１が出力用紙Ｐ１の下端に存在することを把握する。これにより、予測部１２は、次の出力用紙Ｐ２を、出力用紙Ｐ１の下には配列せず、出力用紙Ｐ１の右に配列する可能性があると予測する。
【００３４】
次に、予測部１２は、余白情報に基づき、出力用紙Ｐ２における余白領域Ｂ２が出力用紙Ｐ２の下端に存在し、且つ、余白領域Ｂ２の縦方向の長さが余白領域Ｂ１の縦方向の長さと同じであることを把握する。これにより、予測部１２は、出力用紙Ｐ２を出力用紙Ｐ１の右に配列すると予測する。また、予測部１２は、次の出力用紙Ｐ３を、出力用紙Ｐ２の右に配列する可能性があると予測する。
【００３５】
そして、予測部１２は、出力用紙Ｐ３における余白領域Ｂ３が、出力用紙Ｐ３の下端から出力用紙Ｐ３の右部全体にわたる旗状に存在し、且つ、上記下端部の余白領域Ｂ３の縦方向の長さが余白領域Ｂ２の縦方向の長さと同じであることを把握する。これにより、予測部１２は、出力用紙Ｐ３を出力用紙Ｐ２の右に配列すると予測する。
【００３６】
つまり、この場合、予測部１２は、図２Ｂの右部に示すように、三枚の出力用紙Ｐ１、Ｐ２、Ｐ３の配列パターンが、用紙を縦方向に一枚、横方向に三枚配列する配列パターンＹ１Ｘ３であると予測する。
【００３７】
このようにして、予測部１２は、受付ジョブの実行指示に含まれる余白情報に基づき、受付ジョブの実行により得られる複数枚の出力用紙を、用紙を縦方向及び横方向のうち何れか一方向に配列する配列パターンで配列すると予測する。
【００３８】
更に別の具体例について説明する。図３は、縦横両方向に複数枚の出力用紙を配列する配列パターンを予測部１２が予測する具体例を示す図である。図３の上部に示すように、受付ジョブが９枚の出力用紙Ｐ１〜Ｐ９のそれぞれに画像Ｄ１〜Ｄ９を形成する印刷ジョブであるとする。そして、当該受付ジョブの実行指示に、３、６、７〜９枚目の出力用紙Ｐ３、Ｐ６、Ｐ７〜Ｐ９のそれぞれにおける余白領域Ｂ３、Ｂ６、Ｂ７〜Ｂ９を示す余白情報が含まれているとする。
【００３９】
この場合、予測部１２は、余白情報に基づき、出力用紙Ｐ１、Ｐ２に余白領域が存在せず、出力用紙Ｐ３の下端に余白領域Ｂ３が存在することを把握する。これにより、予測部１２は、三枚の出力用紙Ｐ１、Ｐ２、Ｐ３のうち、下端に余白領域Ｂ３が存在する出力用紙Ｐ３を最も下に配列することができるよう、三枚の出力用紙Ｐ１、Ｐ２、Ｐ３を縦方向（Ｙ方向）に配列すると予測する。
【００４０】
次に、予測部１２は、余白情報に基づき、三枚の出力用紙Ｐ１、Ｐ２、Ｐ３と同様に、三枚の出力用紙Ｐ４、Ｐ５、Ｐ６のうち、最初の二枚の出力用紙Ｐ４、Ｐ５に余白領域が存在せず、最後の出力用紙Ｐ６の下端に余白領域Ｂ６が存在することを把握する。これにより、予測部１２は、三枚の出力用紙Ｐ１、Ｐ２、Ｐ３と同様に、三枚の出力用紙Ｐ４、Ｐ５、Ｐ６を縦方向（Ｙ方向）に配列すると予測する。
【００４１】
また、予測部１２は、縦方向に配列する三枚の出力用紙Ｐ４、Ｐ５、Ｐ６のうち、最初の二枚の出力用紙Ｐ４、Ｐ５の左側に余白領域が存在せず、三枚目の出力用紙Ｐ６の下端に存在する余白領域Ｂ６の縦方向の長さが、縦方向に配列する三枚の出力用紙Ｐ１、Ｐ２、Ｐ３のうち、三枚目の出力用紙Ｐ３の下端に存在する余白領域Ｂ３の縦方向の長さと同じであることを把握する。これにより、予測部１２は、縦方向に配列された三枚の出力用紙Ｐ１、Ｐ２、Ｐ３の右に並列するように、縦方向に配列された三枚の出力用紙Ｐ４、Ｐ５、Ｐ６を配列すると予測する。
【００４２】
次に、予測部１２は、図２Ａに示した具体例と同様にして、三枚の出力用紙Ｐ７、Ｐ８、Ｐ９を、配列パターンＹ３Ｘ１で配列すると予測する。つまり、三枚の出力用紙Ｐ７、Ｐ８、Ｐ９を縦方向に三枚配列すると予測する。
【００４３】
また、予測部１２は、縦方向に配列する三枚の出力用紙Ｐ７、Ｐ８、Ｐ９のうち、最初の二枚の出力用紙Ｐ７、Ｐ８の左側に余白領域が存在せず、三枚目の出力用紙Ｐ９の下端に存在する余白領域Ｂ９の縦方向の長さが、縦方向に配列する三枚の出力用紙Ｐ４、Ｐ５、Ｐ６のうち、三枚目の出力用紙Ｐ６の下端に存在する余白領域Ｂ６の縦方向の長さと同じであることを把握する。これにより、予測部１２は、縦方向に配列された三枚の出力用紙Ｐ４、Ｐ５、Ｐ６の右に並列するように、縦方向に配列された三枚の出力用紙Ｐ７、Ｐ８、Ｐ９を配列すると予測する。
【００４４】
つまり、この場合、予測部１２は、図３の下部に示すように、９枚の出力用紙Ｐ１〜Ｐ９の配列パターンが、用紙を縦横両方向に三枚ずつ配列する配列パターンＹ３Ｘ３であると予測する。
【００４５】
このようにして、予測部１２は、受付ジョブの実行指示に含まれる余白情報に基づき、受付ジョブの実行により得られる複数枚の出力用紙を、縦横両方向に複数枚の用紙を配列する配列パターンで配列することを予測する。
【００４６】
図１に参照を戻す。判定部１３は、受付ジョブの実行指示に含まれる余白情報に基づき、複数枚の出力用紙における各余白領域の面積の総和が、予測部１２により予測された配列パターンである予測配列パターンに対応付けられた閾値よりも大きいか否かを判定する。
【００４７】
以下、判定部１３が用いる各配列パターンに対応付けられた閾値の具体例について説明する。図４Ａ〜図４Ｄは、四個の配列パターンのそれぞれに対応付けられた閾値をそれぞれ示す図である。以下、配列パターンＹｒＸｃに対応付けられた閾値には、当該配列パターンに付された符号「ＹｒＸｃ」の左端に「Ｔ」を付加した符号「ＴＹｒＸｃ」を付す。
【００４８】
例えば、縦方向に用紙を二枚配列し、横方向に用紙を一枚配列する配列パターンＹ２Ｘ１には、閾値ＴＹ２Ｘ１が対応付けられている。閾値ＴＹ２Ｘ１は、以下のようにして定められている。図４Ａに示すように、配列パターンＹ２Ｘ１で配列した二枚の用紙において、用紙の横方向の長さ（以下、横方向（左右方向）の長さを幅と記載する）ｗの０．２倍の幅を有する余白領域が右端に存在し、用紙の縦方向の長さ（以下、縦方向（上下方向）の長さを高さと記載する）ｈの０．２倍の高さを有する余白領域が下端に存在すると仮定する。この場合の余白領域の面積が閾値ＴＹ２Ｘ１として定められ、制御部１０内の不揮発性メモリー等に記憶されている。つまり、閾値ＴＹ２Ｘ１は、以下に示す式で算出される。ＴＹ２Ｘ１  ＝  ２×ＰＳ−（２−０．２）×ｈ×（１−０．２）×ｗ（ＰＳは、用紙一枚分の面積を示す）。
【００４９】
これと同様にして、図４Ｂに示すように、縦方向に用紙を一枚配列し、横方向に用紙を二枚配列する配列パターンＹ１Ｘ２には、閾値ＴＹ１Ｘ２が対応付けられている。閾値ＴＹ１Ｘ２は、以下に示す式で算出される。ＴＹ１Ｘ２  ＝  ２×ＰＳ−（１−０．２）×ｈ×（２−０．２）×ｗ。
【００５０】
また、図４Ｃに示すように、縦方向に用紙を二枚以上のｕ（ｕ≧２）枚配列し、横方向に用紙を二枚配列する配列パターンＹｕＸ２には、閾値ＴＹｕＸ２が対応付けられている。閾値ＴＹｕＸ２は、以下に示す式で算出される。ＴＹｕＸ２  ＝  ｕ×ＰＳ×２−（ｕ−０．２）×ｈ×（２−０．２）×ｗ。同様に、図４Ｄに示すように、縦方向に用紙を二枚配列し、横方向に用紙を二枚以上のｖ（ｖ≧２）枚配列する配列パターンＹ２Ｘｖには、閾値ＴＹ２Ｘｖが対応付けられている。閾値ＴＹ２Ｘｖは、以下に示す式で算出される。ＴＹ２Ｘｖ  ＝  ２×ＰＳ×ｖ−（２−０．２）×ｈ×（ｖ−０．２）×ｗ。
【００５１】
図５Ａ〜図５Ｃは、図４Ａ〜図４Ｄに示す四個の配列パターンとは異なる三個の配列パターンのそれぞれに対応付けられた閾値をそれぞれ示す図である。縦方向に用紙を三枚以上のｎ（ｎ≧３）枚配列し、横方向に用紙を一枚配列する配列パターンＹｎＸ１には、閾値ＴＹｎＸ１が対応付けられている。閾値ＴＹｎＸ１は、図４Ａ〜図４Ｄに示した各閾値とは異なり、以下のようにして定められている。配列パターンＹｎＸ１で配列したｎ枚の用紙全体が余白領域であると仮定し、当該余白領域の面積が、閾値ＴＹｎＸ１として定められ、制御部１０内の不揮発性メモリー等に記憶されている。つまり、閾値ＴＹｎＸ１は、以下に示す式で算出される。ＴＹｎＸ１  ＝  ｎ×ＰＳ。
【００５２】
即ち、予測配列パターンが配列パターンＹｎＸ１である場合、受付ジョブの実行により得られる複数枚の出力用紙における各余白領域の面積の総和が、必ず閾値ＴＹｎＸ１以下であると判定部１３によって判定されるように、閾値ＴＹｎＸ１が定められている。
【００５３】
これと同様にして、図５Ｂに示すように、縦方向に用紙を一枚配列し、横方向に用紙を三枚以上のｍ（ｍ≧３）枚配列する配列パターンＹ１Ｘｍには、閾値ＴＹ１Ｘｍが対応付けられている。閾値ＴＹ１Ｘｍは、以下に示す式で算出される。ＴＹ１Ｘｍ  ＝  ＰＳ×ｍ。また、図５Ｃに示すように、縦方向に用紙を三枚以上のｎ（ｎ≧３）枚配列し、横方向に用紙を三枚以上のｍ（ｍ≧３）枚配列する配列パターンＹｎＸｍには、閾値ＴＹｎＸｍが対応付けられている。閾値ＴＹｎＸｍは、以下に示す式で算出される。ＴＹｎＸｍ  ＝  ｎ×ＰＳ×ｍ。
【００５４】
即ち、予測配列パターンが配列パターンＹ１Ｘｍである場合、及び予測配列パターンが配列パターンＹｎＸｍである場合にも、受付ジョブの実行により得られる複数枚の出力用紙における各余白領域の面積の総和が必ず閾値以下であると判定部１３によって判定されるように、閾値ＴＹ１Ｘｍ、ＴＹｎＸｍが定められている。
【００５５】
尚、判定部１３の動作の詳細については後述する。
【００５６】
図１に参照を戻す。パターン記憶部１４には、各配列パターンに対応付けて、当該各配列パターンよりも少ない枚数の用紙を配列する変更配列パターンが記憶されている。
【００５７】
図６は、各配列パターンに対応付けられた変更配列パターンを示す図である。例えば、図６に示すように、パターン記憶部１４には、二枚の用紙を配列する配列パターンＹ２Ｘ１、Ｙ１Ｘ２に対応付けて、一枚の用紙を配列する変更配列パターンＹ１Ｘ１が記憶されている。
【００５８】
また、パターン記憶部１４には、二枚の用紙を縦方向に配列し、二枚の用紙を横方向に配列する配列パターンＹ２Ｘ２に対応付けて、配列パターンＹ２Ｘ２よりも少ない枚数の用紙を配列する三個の変更配列パターンＹ１Ｘ１、Ｙ１Ｘ２、Ｙ２Ｘ１が記憶されている。変更配列パターンＹ１Ｘ２は、配列パターンＹ２Ｘ２よりも縦方向に配列する用紙の枚数が一枚少ない配列パターンである。変更配列パターンＹ２Ｘ１は、配列パターンＹ２Ｘ２よりも横方向に配列する用紙の枚数が一枚少ない配列パターンである。
【００５９】
このように、パターン記憶部１４には、縦方向に二枚以下の用紙を配列し、且つ、横方向に二枚以下の用紙を配列する各配列パターンＹ２Ｘ１、Ｙ１Ｘ２、Ｙ２Ｘ２に対応付けて、用紙を一枚だけ配列する変更配列パターンＹ１Ｘ１が記憶されている。
【００６０】
また、パターン記憶部１４には、三枚以上のｓ（ｓ≧３）枚の用紙を縦方向に配列し、横方向に用紙を一枚配列する配列パターンＹｓＸ１に対応付けて、当該配列パターンＹｓＸ１よりも縦方向に配列する用紙の枚数が一枚少ない変更配列パターンＹｓ−１Ｘ１が記憶されている。また、パターン記憶部１４には、縦方向に用紙を一枚配列し、三枚以上のｓ（ｓ≧３）枚の用紙を横方向に配列する配列パターンＹ１Ｘｓに対応付けて、当該配列パターンＹ１Ｘｓよりも横方向に配列する用紙の枚数が一枚少ない変更配列パターンＹ１Ｘｓ−１が記憶されている。
【００６１】
また、パターン記憶部１４には、三枚以上のｎ（ｎ≧３）枚の用紙を縦方向に配列し、二枚以上のｖ（ｖ≧２）枚の用紙を横方向に配列する配列パターンＹｎＸｖに対応付けて、当該配列パターンＹｎＸｖよりも配列する用紙の枚数が少ない二つの変更配列パターンＹｎ−１Ｘｖ、ＹｎＸｖ−１が記憶されている。変更配列パターンＹｎ−１Ｘｖは、配列パターンＹｎＸｖよりも縦方向に配列する用紙の枚数が一枚少ない配列パターンである。変更配列パターンＹｎＸｖ−１は、配列パターンＹｎＸｖよりも横方向に配列する用紙の枚数が一枚少ない配列パターンである。
【００６２】
同様に、パターン記憶部１４には、二枚以上のｕ（ｕ≧２）枚の用紙を縦方向に配列し、三枚以上のｍ（ｍ≧３）枚の用紙を横方向に配列する配列パターンＹｕＸｍに対応付けて、配列パターンＹｕＸｍよりも配列する用紙の枚数が少ない二つの変更配列パターンＹｕ−１Ｘｍ、ＹｕＸｍ−１が記憶されている。変更配列パターンＹｕ−１Ｘｍは、配列パターンＹｕＸｍよりも縦方向に配列する用紙の枚数が一枚少ない配列パターンである。変更配列パターンＹｕＸｍ−１は、配列パターンＹｕＸｍよりも横方向に配列する用紙の枚数が一枚少ない配列パターンである。
【００６３】
このように、パターン記憶部１４には、用紙を縦方向に二枚以上配列する各配列パターンＹ２Ｘ２、ＹｓＸ１、ＹｎＸｖ、ＹｕＸｍに対応付けて、それぞれ、当該各配列パターンよりも縦方向に配列する用紙の枚数が一枚少ない変更配列パターンＹ１Ｘ２、Ｙｓ−１Ｘ１、Ｙｎ−１Ｘｖ、Ｙｕ−１Ｘｍが記憶されている。
【００６４】
また、パターン記憶部１４には、用紙を横方向に二枚以上配列する各配列パターンＹ２Ｘ２、Ｙ１Ｘｓ、ＹｎＸｖ、ＹｕＸｍに対応付けて、それぞれ、当該各配列パターンよりも横方向に配列する用紙の枚数が一枚少ない変更配列パターンＹ２Ｘ１、Ｙ１Ｘｓ−１、ＹｎＸｖ−１、ＹｕＸｍ−１が記憶されている。
【００６５】
図１に参照を戻す。調整印刷部１５は、受付ジョブの実行に得られる複数枚の出力用紙における各余白領域の面積の総和が、予測部１２により予測された予測配列パターンに対応付けられた閾値よりも大きいと判定部１３によって判定された場合に、調整印刷処理を実行する。
【００６６】
調整印刷処理とは、受付ジョブによる形成対象の各画像を予測配列パターンで配列した全体画像を、予測配列パターンに対応付けられた変更配列パターンで配列した用紙に収まるように縮小し、画像形成部２２を制御して、当該縮小後の全体画像を当該変更配列パターンで配列した用紙に形成させる処理である。調整印刷処理の詳細については後述する。
【００６７】
また、調整印刷部１５は、上記総和が閾値以下であると判定部１３によって判定された場合は、受付ジョブをそのまま実行する。受付ジョブをそのまま実行するとは、画像形成部２２を制御して、受付ジョブの実行指示通りに、複数枚の用紙のそれぞれに画像を形成させることを示す。
【００６８】
また、調整印刷部１５は、受付ジョブの実行指示に、当該実行指示が所定の表計算ソフトウェアにより生成されたことを示す情報が含まれていない場合も、受付ジョブをそのまま実行する。
【００６９】
具体的には、所定の表計算ソフトウェア（例えばＭｉｃｒｏｓｏｆｔ  ＥＸＣＥＬ（登録商標）等）を示す表計算ソフトウェア情報は、予め不揮発性メモリーに記憶されている。調整印刷部１５は、受付ジョブの実行指示に上記生成ソフト情報が含まれている場合、当該生成ソフト情報が示すソフトウェアが、不揮発性メモリーに記憶されている上記表計算ソフトウェア情報が示す所定の表計算ソフトウェアと一致するか否かを判定する。
【００７０】
調整印刷部１５は、当該一致しないと判定した場合、及び、受付ジョブの実行指示に上記生成ソフト情報が含まれていない場合、受付ジョブの実行指示に、当該実行指示が所定の表計算ソフトウェアによって生成されたことを示す情報が含まれていないと判断する。
【００７１】
また、調整印刷部１５は、受付ジョブが一枚の用紙に画像を形成する印刷ジョブである場合も、受付ジョブをそのまま実行する。尚、調整印刷部１５の動作の詳細については後述する。
【００７２】
表示制御部１６は、判定部１３により上記総和が上記閾値よりも大きいと判定された場合、調整印刷部１５による調整印刷処理の実行前に、第一操作画面を表示部２３１に表示する。第一操作画面は、受付ジョブをそのまま実行させる優先指示又は予測配列パターンに対応付けられた一以上の変更配列パターンの中から何れか一の変更配列パターンを選択する選択指示が入力可能に構成されている。第一操作画面の詳細及び表示制御部１６の動作の詳細については後述する。
【００７３】
以下、制御部１０が、印刷ジョブの実行指示に基づいて画像形成部２２に画像を用紙に形成させる動作の詳細について説明する。当該説明の中で、判定部１３、調整印刷部１５、及び表示制御部１６の動作の詳細、調整印刷処理の詳細及び第一操作画面の詳細について説明する。図７は、制御部１０が印刷ジョブの実行指示に基づいて画像形成部２２に画像を用紙に形成させる動作を示すフローチャートである。
【００７４】
図７に示すように、受付部１１により印刷ジョブの実行指示が受け付けられると（Ｓ１）、調整印刷部１５は、受付部１１により受け付けられた印刷ジョブ（以下、受付ジョブと記載）の実行指示に、当該実行指示が所定の表計算ソフトウェアにより生成されたことを示す情報が含まれているか否かを判定する（Ｓ２）。
【００７５】
調整印刷部１５は、ステップＳ２において、受付ジョブの実行指示に、当該実行指示が所定の表計算ソフトウェアにより生成されたことを示す情報が含まれていないと判定した場合（Ｓ２；ＮＯ）、受付ジョブをそのまま実行する（Ｓ１１）。
【００７６】
一方、調整印刷部１５は、ステップＳ２において、受付ジョブの実行指示に、当該実行指示が所定の表計算ソフトウェアにより生成されたことを示す情報が含まれていると判定したとする（Ｓ２；ＹＥＳ）。この場合、調整印刷部１５は、当該受付ジョブの実行指示に含まれる上記出力枚数情報に基づき、又は当該実行指示に含まれる画像データの数をカウントする等して、受付ジョブが複数枚の用紙に画像を形成させる印刷ジョブであるか否かを判定する（Ｓ３）。
【００７７】
調整印刷部１５は、ステップＳ３において、受付ジョブが、複数枚の用紙に画像を形成させる印刷ジョブではないと判定した場合も（Ｓ３；ＮＯ）、受付ジョブをそのまま実行する（Ｓ１１）。
【００７８】
一方、調整印刷部１５が、ステップＳ３において、受付ジョブが複数枚の用紙に画像を形成させる印刷ジョブであると判定したとする（Ｓ３；ＹＥＳ）。この場合、予測部１２は、受付ジョブの実行指示に含まれる余白情報に基づき、受付ジョブの実行により得られる複数枚の出力用紙の配列パターンを予測する（Ｓ４）。
【００７９】
次に、判定部１３は、受付ジョブの実行指示に含まれる余白情報に基づき、受付ジョブの実行により得られる複数枚の出力用紙における各余白領域の面積の総和が、ステップＳ４で予測された配列パターンである予測配列パターンに対応付けられた閾値よりも大きいか否かを判定する（Ｓ５）。
【００８０】
ステップＳ５において、判定部１３が、上記各余白領域の面積の総和が予測配列パターンに対応付けられた閾値よりも大きいと判定した場合（Ｓ５；ＹＥＳ）、表示制御部１６は、第一操作画面を表示部２３１に表示する（Ｓ６）。
【００８１】
以下、ステップＳ５及びステップＳ６の詳細について具体例を用いて説明する。図８は、予測配列パターンが、用紙を縦方向に二枚、横方向に二枚配列する配列パターンＹ２Ｘ２である場合における図７に示す動作の具体例を示す図である。本具体例では、図８の第一列欄に示すように、受付ジョブが四枚の用紙のそれぞれに画像Ｄ１〜Ｄ４を形成する印刷ジョブであるとする。また、図８の第一列欄の白塗部に示すように、当該受付ジョブの実行指示に、二〜四枚目の各用紙の余白領域Ｂ２〜Ｂ４を示す余白情報が含まれているとする。これにより、当該余白情報に基づいて、予測部１２が、ステップＳ４において配列パターンＹ２Ｘ２を予測配列パターンとして予測したとする。
【００８２】
この場合、ステップＳ５において、判定部１３は、余白情報に基づいて、三個の余白領域Ｂ２〜Ｂ４の面積の総和が、予測配列パターンＹ２Ｘ２に対応付けられた閾値ＴＹ２Ｘ２よりも大きいか否かを判定する。
【００８３】
閾値ＴＹ２Ｘ２は、図４Ｃ又は図４Ｄを用いて上述したように、予測配列パターンＹ２Ｘ２で配列した用紙の右端及び下端に余白領域（図８の第一列欄の破線部）が存在すると仮定した場合の当該余白領域の面積に定められている。本具体例では、各余白領域Ｂ２〜Ｂ４の面積の総和は、図８の第一列欄の白塗部の面積に相当しており、閾値ＴＹ２Ｘ２に相当する図８の第一列欄の破線部の面積よりも大きくなっている。したがって、本具体例では、判定部１３は、ステップＳ５において、各余白領域Ｂ２〜Ｂ４の面積の総和が、予測配列パターンＹ２Ｘ２に対応付けられた閾値ＴＹ２Ｘ２よりも大きいと判定する（Ｓ５；ＹＥＳ）。
【００８４】
図９は、第一操作画面Ｗ１の一例を示す図である。この場合（Ｓ５；ＹＥＳ）、表示制御部１６は、ステップＳ６において、例えば図９に示す第一操作画面Ｗ１を表示部２３１に表示する。第一操作画面Ｗ１には、四個のラジオボタンＲ１１〜Ｒ１４と、ＯＫボタンＫ１１と、中止ボタンＫ１２と、プレビューボタンＫ１３と、が含まれる。
【００８５】
四個のラジオボタンＲ１１〜Ｒ１４は、何れか一のラジオボタンだけを選択可能になっている。ラジオボタンＲ１１は、受付ジョブをそのまま実行させる優先指示を入力するために設けられている。ラジオボタンＲ１２〜Ｒ１４は、ステップＳ４で予測された予測配列パターンＹ２Ｘ２に対応付けられた三個の変更配列パターンＹ１Ｘ１、Ｙ２Ｘ１、Ｙ１Ｘ２（図６）の中から、何れか一の変更配列パターンを選択する選択指示を入力するために設けられている。
【００８６】
具体的には、ラジオボタンＲ１２は、用紙を一枚だけ配列する変更配列パターンＹ１Ｘ１（図６）を選択する選択指示を入力するために設けられている。ラジオボタンＲ１３は、予測配列パターンＹ２Ｘ２よりも横方向に配列する用紙の枚数が一枚少ない、変更配列パターンＹ２Ｘ１（図６）を選択する選択指示を入力するために設けられている。ラジオボタンＲ１４は、予測配列パターンＹ２Ｘ２よりも縦方向に配列する用紙の枚数が一枚少ない、変更配列パターンＹ１Ｘ２（図６）を選択する選択指示を入力するために設けられている。
【００８７】
ＯＫボタンＫ１１は、ユーザーにより選択された一のラジオボタンＲ１１〜Ｒ１４が示す指示の入力を確定するために設けられている。つまり、ユーザーによる表示部２３１のタッチ操作等によって、四個のラジオボタンＲ１１〜Ｒ１４のうち、何れか一のラジオボタンが選択された後、ＯＫボタンＫ１１が押下されたとする。この場合、当該選択された一のラジオボタンが示す指示の入力が確定され、受付部１１によって当該指示が受け付けられる。
【００８８】
例えば、ラジオボタンＲ１１が選択された後、ＯＫボタンＫ１１が押下されたとする。この場合、受付部１１によって、ラジオボタンＲ１１が示す、受付ジョブをそのまま実行させる優先指示が受け付けられる。また、ラジオボタンＲ１２が選択された後、ＯＫボタンＫ１１が押下されたとする。この場合、受付部１１によって、ラジオボタンＲ１２が示す、変更配列パターンＹ１Ｘ１を選択する選択指示が受け付けられる。
【００８９】
中止ボタンＫ１２は、受付ジョブの実行を中止させるジョブ中止指示を入力するために設けられている。つまり、中止ボタンＫ１２が押下されると、受付部１１によって、ジョブ中止指示が受け付けられる。受付部１１が、ジョブ中止指示を受け付けた場合の動作については後述する。
【００９０】
プレビューボタンＫ１３は、プレビューの実行指示を入力するために設けられている。つまり、プレビューボタンＫ１３が押下されると、受付部１１によって、プレビューの実行指示が受け付けられる。受付部１１が、プレビューの実行指示を受け付けた場合の動作については後述する。
【００９１】
図７に参照を戻す。ステップＳ５において、判定部１３が、上記各余白領域の面積の総和が予測配列パターンに対応付けられた閾値以下であると判定した場合（Ｓ５；ＮＯ）、調整印刷部１５は、受付ジョブをそのまま実行する（Ｓ１１）。この場合の具体例について以下に説明する。
【００９２】
図１０Ａは、予測配列パターンが、用紙を縦方向に三枚以上、横方向に一枚配列する配列パターンＹｎＸ１（ｎ≧３）である場合における図７に示す動作の具体例を示す図である。図１０Ｂは、予測配列パターンが、用紙を縦方向に一枚、横方向に三枚以上配列する配列パターンＹ１Ｘｍ（ｍ≧３）である場合における図７に示す動作の具体例を示す図である。図１０Ｃは、予測配列パターンが、用紙を縦方向に三枚以上、横方向に三枚以上配列する配列パターンＹｎＸｍ（ｎ、ｍ≧３）である場合における図７に示す動作の具体例を示す図である。
【００９３】
例えば、図１０Ａの左欄に示すように、受付ジョブが三枚以上のｎ（ｎ≧３）枚の用紙のそれぞれに画像Ｄ１〜Ｄｎを形成する印刷ジョブであるとする。また、図１０Ａの左欄の白塗部に示すように、当該受付ジョブの実行指示に、一枚目〜ｎ枚目の各用紙の余白領域Ｂ１〜Ｂｎを示す余白情報が含まれているとする。これにより、当該余白情報に基づいて、予測部１２が、ステップＳ４において配列パターンＹｎＸ１を予測配列パターンとして予測したとする。
【００９４】
この場合、ステップＳ５において、判定部１３は、余白情報に基づいて、各余白領域Ｂ１〜Ｂｎの面積の総和が、予測配列パターンＹｎＸ１に対応付けられた閾値ＴＹｎＸ１よりも大きいか否かを判定する。
【００９５】
閾値ＴＹｎＸ１は、図５Ａを用いて上述したように、予測配列パターンＹｎＸ１で配列したｎ枚の用紙全体が余白領域（図１０Ａの左欄の破線部）であると仮定した場合の当該余白領域の面積に定められている。つまり、予測配列パターンが配列パターンＹｎＸ１である場合は、各余白領域Ｂ１〜Ｂｎの面積の総和（図１０Ａの左欄の白塗部の面積）は、必ず閾値ＴＹｎＸ１（図１０Ａの左欄の破線部の面積）以下になる。
【００９６】
したがって、判定部１３は、ステップＳ５において、各余白領域Ｂ１〜Ｂｎの面積の総和が、予測配列パターンＹｎＸ１に対応付けられた閾値ＴＹｎＸ１以下であると判定する（Ｓ５；ＮＯ）。この場合（Ｓ５；ＮＯ）、調整印刷部１５は、受付ジョブをそのまま実行する（Ｓ１１）。具体的には、調整印刷部１５は、ステップＳ１１において、図１０Ａの右欄に示すように、画像形成部２２を制御して、受付ジョブの実行指示通り、ｎ枚の用紙（太線部）にそれぞれ画像Ｄ１〜Ｄｎ（黒塗部）を形成させる。
【００９７】
また、ステップＳ４において、予測部１２が、ステップＳ４において、配列パターンＹ１Ｘｍ（ｍ≧３）を予測配列パターンとして予測したとする。また、ステップＳ４において、予測部１２が、ステップＳ４において、配列パターンＹｎＸｍ（ｎ、ｍ≧３）を予測配列パターンとして予測したとする。これらの場合も、図１０Ｂ、図１０Ｃの左欄に示すように、図１０Ａに示した具体例と同様、各予測配列パターンＹ１Ｘｍ、ＹｎＸｍに対応付けられた閾値ＴＹ１Ｘｍ、ＴＹｎＸｍは、図５Ｂ、図５Ｃを用いて上述したように、各予測配列パターンＹ１Ｘｍ、ＹｎＸｍ（ｎ、ｍ≧３）で配列した複数枚の用紙全体が余白領域（図１０Ｂ、図１０Ｃの左欄の破線部）であると仮定した場合の当該余白領域の面積に定められている。
【００９８】
つまり、予測配列パターンが配列パターンＹ１Ｘｍ、ＹｎＸｍである場合も、各余白領域の面積の総和（図１０Ｂ、図１０Ｃの左欄の白塗部の面積）は、必ず閾値ＴＹ１Ｘｍ、ＴＹｎＸｍ（図１０Ｂ、図１０Ｃの左欄の破線部の面積）以下になる。したがって、判定部１３は、ステップＳ５において、各余白領域の面積の総和が、閾値ＴＹ１Ｘｍ、ＴＹｎＸｍ以下であると判定する（Ｓ５；ＮＯ）。この場合、調整印刷部１５は、受付ジョブをそのまま実行する（Ｓ１１）。
【００９９】
具体的には、予測配列パターンが配列パターンＹ１Ｘｍである場合、調整印刷部１５は、ステップＳ１１において、図１０Ｂの右欄に示すように、画像形成部２２を制御して、受付ジョブの実行指示通り、ｍ枚の用紙（太線部）にそれぞれ各画像Ｄ１〜Ｄｍ（黒塗部）を形成させる。予測配列パターンが配列パターンＹｎＸｍである場合、調整印刷部１５は、ステップＳ１１において、図１０Ｃの右欄に示すように、画像形成部２２を制御して、受付ジョブの実行指示通り、ｎｍ（ｎｍはｎとｍの積を示す）枚の用紙（太線部）にそれぞれ画像Ｄ１〜Ｄｎｍ（黒塗部）を形成させる。
【０１００】
図７に参照を戻す。ステップＳ６で表示部２３１に表示された第一操作画面Ｗ１において、中止ボタンＫ１２が押下され、受付部１１によってジョブ中止指示が受け付けられたとする（Ｓ７；ＹＥＳ）。この場合、調整印刷部１５は、ステップＳ１で受け付けられた受付ジョブの実行を中止し、処理を終了する。
【０１０１】
一方、第一操作画面Ｗ１において中止ボタンＫ１２が押下されず（Ｓ７；ＮＯ）、四個のラジオボタンＲ１１〜Ｒ１４の中から、何れか一のラジオボタンが選択された後（Ｓ８）、ＯＫボタンＫ１１が押下されたとする（Ｓ９；ＹＥＳ）。この場合、受付部１１は、ステップＳ８で選択された一のラジオボタンが示す指示を受け付ける。
【０１０２】
例えば、ステップＳ８においてラジオボタンＲ１１が選択され、受付部１１が、受付ジョブをそのまま実行させる優先指示を受け付けた場合（Ｓ１０；ＹＥＳ）、調整印刷部１５は、受付ジョブをそのまま実行する（Ｓ１１）。一方、ステップＳ８においてラジオボタンＲ１２〜Ｒ１４の何れか一のラジオボタンが選択され、受付部１１が、当該一のラジオボタンが示す選択指示を受け付けたとする（Ｓ１０；ＮＯ）。この場合、調整印刷部１５は、当該受け付けられた選択指示が示す変更配列パターンを用いた調整印刷処理を実行する（Ｓ１２）。
【０１０３】
以下、ステップＳ１１、ステップＳ１２の詳細について、図８を用いて上述した具体例を用いて説明する。尚、図８の第二列欄及び第三列欄における破線部は、予測配列パターンＹ２Ｘ２で配列した用紙を示している。また、一点鎖線部は、後述する全体画像ＤＡを示している。
【０１０４】
調整印刷部１５は、受付ジョブをそのまま実行する場合（Ｓ１１）、図８の第二列上欄に示すように、画像形成部２２を制御して、受付ジョブの実行指示通り、四枚の用紙（太線部）にそれぞれ画像Ｄ１〜Ｄ４（黒塗部）を形成させる。
【０１０５】
受付部１１が、ラジオボタンＲ１２が示す選択指示を受け付けた場合（Ｓ１０；ＮＯ）、調整印刷部１５は、当該選択指示が示す変更配列パターンＹ１Ｘ１を用いた調整印刷処理を実行する（Ｓ１２）。この場合、調整印刷部１５は、先ず、図８の第一列欄に示すように、受付ジョブによる形成対象の各画像Ｄ１〜Ｄ４を予測配列パターンＹ２Ｘ２で配列した全体画像ＤＡを生成する。
【０１０６】
そして、調整印刷部１５は、図８の第二列下欄に示すように、全体画像ＤＡ（一点鎖線部）を、変更配列パターンＹ１Ｘ１で配列した一枚の用紙（太線部）に収まるように、縦方向及び横方向共に同じ比率で縮小した縮小画像ＤＹ１Ｘ１（黒塗部）を生成する。そして、調整印刷部１５は、画像形成部２２を制御して、当該生成した縮小画像ＤＹ１Ｘ１を、変更配列パターンＹ１Ｘ１で配列した一枚の用紙（太線部）に形成させる。
【０１０７】
受付部１１が、ラジオボタンＲ１３が示す選択指示を受け付けた場合（Ｓ１０；ＮＯ）、調整印刷部１５は、当該選択指示が示す変更配列パターンＹ２Ｘ１を用いた調整印刷処理を実行する（Ｓ１２）。この場合も、調整印刷部１５は、先ず、上記全体画像ＤＡを生成する。
【０１０８】
そして、調整印刷部１５は、図８の第三列上欄に示すように、全体画像ＤＡ（一点鎖線部）を、変更配列パターンＹ２Ｘ１で配列した二枚の用紙（太線部）に収まるように、縦方向及び横方向共に同じ比率で縮小した縮小画像ＤＹ２Ｘ１（黒塗部）を生成する。本具体例では、縮小画像ＤＹ２Ｘ１は、用紙一枚に収まる大きさになる。このため、調整印刷部１５は、画像形成部２２を制御して、当該生成した縮小画像ＤＹ２Ｘ１を、変更配列パターンＹ２Ｘ１で配列した二枚の用紙（太線部）のうち一枚の用紙のみに形成させる。
【０１０９】
受付部１１が、ラジオボタンＲ１４が示す選択指示を受け付けた場合（Ｓ１０；ＮＯ）、調整印刷部１５は、当該選択指示が示す変更配列パターンＹ１Ｘ２を用いた調整印刷処理を実行する（Ｓ１２）。この場合も、調整印刷部１５は、先ず、上記全体画像ＤＡを生成する。
【０１１０】
そして、調整印刷部１５は、図８の第三列下欄に示すように、全体画像ＤＡ（一点鎖線部）を、変更配列パターンＹ１Ｘ２で配列した二枚の用紙（太線部）に収まるように、縦方向及び横方向共に同じ比率で縮小した縮小画像ＤＹ１Ｘ２（黒塗部）を生成する。そして、調整印刷部１５は、画像形成部２２を制御して、当該生成した縮小画像ＤＹ１Ｘ２（黒塗部）を変更配列パターンＹ１Ｘ２で配列した二枚の用紙（太線部）に形成させる。
【０１１１】
この場合、具体的には、調整印刷部１５は、受付ジョブの実行指示に含まれる用紙サイズ情報に基づき、縮小画像ＤＹ１Ｘ２を、用紙と同じサイズの画像Ｄ１ａと、他の画像Ｄ２ａとに分割する。そして、調整印刷部１５は、画像形成部２２を制御して、当該分割後の各画像Ｄ１ａ、Ｄ２ａを各用紙に形成させる。
【０１１２】
図７に参照を戻す。第一操作画面Ｗ１において四個のラジオボタンＲ１１〜Ｒ１４の中から、何れか一のラジオボタンが選択された後（Ｓ８）、ＯＫボタンＫ１１が押下されず（Ｓ９；ＮＯ）、プレビューボタンＫ１３が押下されたとする（Ｓ１３；ＹＥＳ）。これにより、受付部１１が、ステップＳ８で選択された一のラジオボタンが示す指示及びプレビューの実行指示を受け付けると、調整印刷部１５は、プレビュー画面を表示部２３１に表示する（Ｓ１４）。
【０１１３】
以下、ステップＳ１４の詳細について、図８を用いて上述した具体例及び図１１Ａ〜図１１Ｄを用いて説明する。図１１Ａは、受付ジョブをそのまま実行する実行指示及びプレビューの実行指示が受け付けられた場合に表示されるプレビュー画面を示す図である。図１１Ｂは、変更配列パターンＹ１Ｘ１を選択する選択指示及びプレビューの実行指示が受け付けられた場合に表示されるプレビュー画面を示す図である。図１１Ｃは、変更配列パターンＹ２Ｘ１を選択する選択指示及びプレビューの実行指示が受け付けられた場合に表示されるプレビュー画面を示す図である。図１１Ｄは、変更配列パターンＹ１Ｘ２を選択する選択指示及びプレビューの実行指示が受け付けられた場合に表示されるプレビュー画面を示す図である。
【０１１４】
ステップＳ８においてラジオボタンＲ１１が選択された後、ステップＳ１３でプレビューボタンＫ１３が押下され、受付部１１が、受付ジョブをそのまま実行させる優先指示及びプレビューの実行指示を受け付けたとする。この場合、調整印刷部１５は、ステップＳ１４において、図１１Ａに示すように、プレビュー画像ＰＤ１１と、閉じるボタンＫＣと、を含むプレビュー画面ＷＰを表示部２３１に表示する。プレビュー画像ＰＤ１１は、受付ジョブをそのまま実行したときに得られる四枚の用紙を予測配列パターンＹ２Ｘ２で配列した結果を表す画像（図８の第二列上欄の図に類する画像）である。
【０１１５】
ステップＳ８においてラジオボタンＲ１２が選択された後、ステップＳ１３でプレビューボタンＫ１３が押下され、受付部１１が、変更配列パターンＹ１Ｘ１を選択する選択指示及びプレビューの実行指示を受け付けたとする。この場合、調整印刷部１５は、ステップＳ１４において、図１１Ｂに示すように、プレビュー画像ＰＤ１２と、閉じるボタンＫＣと、を含むプレビュー画面ＷＰを表示部２３１に表示する。
【０１１６】
プレビュー画像ＰＤ１２は、変更配列パターンＹ１Ｘ１を用いてステップＳ１２の調整印刷処理を実行した場合に得られる用紙を、変更配列パターンＹ１Ｘ１で配列した結果を表す画像（図８の第二列下欄の図に類する画像）である。尚、当該結果を表す画像には、受付ジョブをそのまま実行したときに得られる四枚の用紙を予測配列パターンＹ２Ｘ２で配列した結果を点線で表す変更前画像が含まれている。これにより、ユーザーは、受付ジョブをそのまま実行したときとの差異を容易に視認することができる。ただし、当該結果を表す画像に、当該変更前画像を含めないようにしてもよい。
【０１１７】
同様に、ステップＳ８においてラジオボタンＲ１３が選択された後、ステップＳ１３でプレビューボタンＫ１３が押下され、受付部１１が、変更配列パターンＹ２Ｘ１を選択する選択指示及びプレビューの実行指示を受け付けたとする。この場合、調整印刷部１５は、ステップＳ１４において、図１１Ｃに示すように、プレビュー画像ＰＤ１３と、閉じるボタンＫＣと、を含むプレビュー画面ＷＰを表示部２３１に表示する。プレビュー画像ＰＤ１３は、変更配列パターンＹ２Ｘ１を用いてステップＳ１２の調整印刷処理を実行した場合に得られる用紙を、変更配列パターンＹ２Ｘ１で配列した結果を表す画像（図８の第三列上欄の図に類する画像）である。尚、当該結果を表す画像にも、上記変更前画像が含まれている。ただし、当該結果を表す画像に、当該変更前画像を含めないようにしてもよい。
【０１１８】
また、ステップＳ８においてラジオボタンＲ１４が選択された後、ステップＳ１３でプレビューボタンＫ１３が押下され、受付部１１が、変更配列パターンＹ１Ｘ２を選択する選択指示及びプレビューの実行指示を受け付けたとする。この場合、調整印刷部１５は、ステップＳ１４において、図１１Ｄに示すように、プレビュー画像ＰＤ１４と、閉じるボタンＫＣと、を含むプレビュー画面ＷＰを表示部２３１に表示する。プレビュー画像ＰＤ１４は、変更配列パターンＹ１Ｘ２を用いてステップＳ１２の調整印刷処理を実行した場合に得られる用紙を、変更配列パターンＹ１Ｘ２で配列した結果を表す画像（図８の第三列下欄の図に類する画像）である。尚、当該結果を表す画像にも、上記変更前画像が含まれている。ただし、当該結果を表す画像に、当該変更前画像を含めないようにしてもよい。
【０１１９】
閉じるボタンＫＣは、プレビュー画面ＷＰを非表示にする非表示指示を入力するために設けられている。つまり、閉じるボタンＫＣが押下されると、受付部１１によって非表示指示が受け付けられる。受付部１１によって非表示指示が受け付けられると、調整印刷部１５は、プレビュー画面ＷＰを非表示にし、処理をステップＳ７（図７）に戻す。
【０１２０】
以下では、図１２Ａ、図１２Ｂを用いて、ステップＳ４で予測された予測配列パターンが配列パターンＹｎＸ２（ｎ≧３）である場合、及び、ステップＳ４で予測された予測配列パターンが配列パターンＹ２Ｘｍ（ｍ≧３）である場合における図７に示す動作の具体例について説明する。図１２Ａは、予測配列パターンが、用紙を縦方向に三枚以上、横方向に二枚配列する配列パターンＹｎＸ２である場合における図７に示す動作の具体例を示す図であり、図１２Ｂは、予測配列パターンが、用紙を縦方向に二枚、横方向に三枚以上配列する配列パターンＹ２Ｘｍである場合における図７に示す動作の具体例を示す図である。
【０１２１】
図１２Ａの第一列欄に示すように、受付ジョブが２ｎ（ｎ≧３、２ｎは、２とｎの積を示す）枚の用紙のそれぞれに画像Ｄ１〜Ｄ２ｎを形成する印刷ジョブであるとする。また、図１２Ａの第一列欄の白塗部に示すように、当該受付ジョブの実行指示に、各余白領域Ｂｎ、Ｂｎ＋１〜Ｂ２ｎを示す余白情報が含まれているとする。これにより、当該余白情報に基づいて、予測部１２が、ステップＳ４において配列パターンＹｎＸ２を予測配列パターンとして予測したとする。
【０１２２】
この場合、ステップＳ５において、判定部１３は、余白情報に基づいて、各余白領域Ｂｎ、Ｂｎ＋１〜Ｂ２ｎの面積の総和が、予測配列パターンＹｎＸ２に対応付けられた閾値ＴＹｎＸ２よりも大きいか否かを判定する。
【０１２３】
閾値ＴＹｎＸ２は、図４Ｃを用いて上述したように、予測配列パターンＹｎＸ２で配列した用紙の右端及び下端に余白領域（図１２Ａの第一列欄の破線部）が存在すると仮定した場合の当該余白領域の面積に定められている。本具体例では、各余白領域Ｂｎ、Ｂｎ＋１〜Ｂ２ｎの面積の総和は、図１２Ａの第一列欄の白塗部の面積に相当しており、閾値ＴＹｎＸ２に相当する図１２Ａの第一列欄の破線部の面積よりも大きくなっている。したがって、本具体例では、判定部１３は、ステップＳ５において、各余白領域Ｂｎ、Ｂｎ＋１〜Ｂ２ｎの面積の総和が、予測配列パターンＹｎＸ２に対応付けられた閾値ＴＹｎＸ２よりも大きいと判定する（Ｓ５；ＹＥＳ）。
【０１２４】
この場合、図６を用いて上述したように、パターン記憶部１４には、予測配列パターンＹｎＸ２に対応付けて、配列パターンＹｎＸ２よりも縦方向に配列する用紙の枚数が一枚少ない変更配列パターンＹｎ−１Ｘ２と、配列パターンＹｎＸ２よりも横方向に配列する用紙の枚数が一枚少ない変更配列パターンＹｎＸ１が記憶されている。しかし、パターン記憶部１４には、予測配列パターンＹｎＸ２に対応付けて、変更配列パターンＹ１Ｘ１は記憶されていない。
【０１２５】
このため、表示制御部１６は、ステップＳ６において表示する第一操作画面Ｗ１には、図９に示す第一操作画面Ｗ１とは異なり、変更配列パターンＹ１Ｘ１を選択する選択指示を入力するためのラジオボタンＲ１２を表示しない。また、ラジオボタンＲ１３が示す選択指示は、配列パターンＹｎＸ２よりも横方向に配列する用紙の枚数が一枚少ない変更配列パターンＹｎＸ１を選択する選択指示となり、ラジオボタンＲ１４が示す選択指示は、配列パターンＹｎＸ２よりも縦方向に配列する用紙の枚数が一枚少ない変更配列パターンＹｎ−１Ｘ１を選択する選択指示となる。
【０１２６】
ステップＳ８においてラジオボタンＲ１１が選択され、受付部１１が、受付ジョブをそのまま実行させる優先指示を受け付けたとする（Ｓ１０；ＹＥＳ）。この場合、図１２Ａの第二列欄に示すように、調整印刷部１５は、受付ジョブをそのまま実行する。つまり、調整印刷部１５は、画像形成部２２を制御して、受付ジョブの実行指示通り、２ｎ枚の用紙（太線部）にそれぞれ画像Ｄ１〜Ｄ２ｎ（黒塗部）を形成させる。
【０１２７】
ステップＳ８においてラジオボタンＲ１３が選択され、受付部１１が、ラジオボタンＲ１３が示す選択指示を受け付けたとする（Ｓ１０；ＮＯ）。この場合、調整印刷部１５は、図１２Ａの第三列欄に示すように、当該選択指示が示す変更配列パターンＹｎＸ１を用いた調整印刷処理を実行する（Ｓ１２）。つまり、調整印刷部１５は、ステップＳ１２において、変更配列パターンＹｎＸ１で配列されたｎ枚の用紙（太線部）に収まるように、全体画像ＤＡ（第一列欄の黒塗部、第三列欄の一点鎖線部）を縮小した縮小画像ＤＹｎＸ１（第三列欄の黒塗部）を生成する。そして、調整印刷部１５は、画像形成部２２を制御して、縮小画像ＤＹｎＸ１を用紙サイズ毎に分割した各画像を、それぞれ一枚の用紙に形成させる。
【０１２８】
ステップＳ８においてラジオボタンＲ１４が選択され、受付部１１が、ラジオボタンＲ１４が示す選択指示を受け付けたとする（Ｓ１０；ＮＯ）。この場合、調整印刷部１５は、図１２Ａの第四列欄に示すように、当該選択指示が示す変更配列パターンＹｎ−１Ｘ２を用いた調整印刷処理を実行する（Ｓ１２）。つまり、調整印刷部１５は、ステップＳ１２において、変更配列パターンＹｎ−１Ｘ２で配列された２ｎ−２枚の用紙（太線部）に収まるように、全体画像ＤＡ（第一列欄の黒塗部、第四列欄の一点鎖線部）を縮小した縮小画像ＤＹｎ−１Ｘ２（第四列欄の黒塗部）を生成する。そして、調整印刷部１５は、画像形成部２２を制御して、縮小画像ＤＹｎ−１Ｘ２を用紙サイズ毎に分割した各画像を、それぞれ一枚の用紙に形成させる。
【０１２９】
一方、図１２Ｂの第一列欄に示すように、受付ジョブが２ｍ（ｍ≧３、２ｍは、２とｍの積を示す）枚の用紙のそれぞれに画像Ｄ１〜Ｄ２ｍを形成する印刷ジョブであるとする。また、図１２Ｂの第一列欄の白塗部に示すように、当該受付ジョブの実行指示に、各余白領域Ｂ２、・・・、Ｂ２ｍ−１、Ｂ２ｍを示す余白情報が含まれているとする。これにより、当該余白情報に基づいて、予測部１２が、ステップＳ４において配列パターンＹ２Ｘｍを予測配列パターンとして予測したとする。
【０１３０】
この場合、ステップＳ５において、判定部１３は、余白情報に基づいて、各余白領域Ｂ２、・・・、Ｂ２ｍ−１、Ｂ２ｍの面積の総和が、予測配列パターンＹ２Ｘｍに対応付けられた閾値ＴＹ２Ｘｍよりも大きいか否かを判定する。
【０１３１】
閾値ＴＹ２Ｘｍは、図４Ｄを用いて上述したように、予測配列パターンＹ２Ｘｍで配列した用紙の右端及び下端に余白領域（図１２Ｂの第一列欄の破線部）が存在すると仮定した場合の当該余白領域の面積に定められている。本具体例では、各余白領域Ｂ２、・・・、Ｂ２ｍ−１、Ｂ２ｍの面積の総和は、図１２Ｂの第一列欄の白塗部の面積に相当しており、閾値ＴＹ２Ｘｍに相当する図１２Ｂの第一列欄の破線部の面積よりも大きくなっている。したがって、本具体例では、判定部１３は、ステップＳ５において、各余白領域Ｂ２、・・・、Ｂ２ｍ−１、Ｂ２ｍの面積の総和が、予測配列パターンＹ２Ｘｍに対応付けられた閾値ＴＹ２Ｘｍよりも大きいと判定する（Ｓ５；ＹＥＳ）。
【０１３２】
この場合、図６を用いて上述したように、パターン記憶部１４には、予測配列パターンＹ２Ｘｍに対応付けて、配列パターンＹ２Ｘｍよりも縦方向に配列する用紙の枚数が一枚少ない変更配列パターンＹ１Ｘｍと、配列パターンＹ２Ｘｍよりも横方向に配列する用紙の枚数が一枚少ない変更配列パターンＹ２Ｘｍ−１が記憶されている。しかし、パターン記憶部１４には、予測配列パターンＹ２Ｘｍに対応付けて、変更配列パターンＹ１Ｘ１は記憶されていない。
【０１３３】
このため、表示制御部１６は、ステップＳ６において表示する第一操作画面Ｗ１には、図９に示す第一操作画面Ｗ１とは異なり、変更配列パターンＹ１Ｘ１を選択する選択指示を入力するためのラジオボタンＲ１２を表示しない。また、ラジオボタンＲ１３が示す選択指示は、配列パターンＹ２Ｘｍよりも横方向に配列する用紙の枚数が一枚少ない変更配列パターンＹ２Ｘｍ−１を選択する選択指示となり、ラジオボタンＲ１４が示す選択指示は、配列パターンＹ２Ｘｍよりも縦方向に配列する用紙の枚数が一枚少ない変更配列パターンＹ１Ｘｍを選択する選択指示となる。
【０１３４】
ステップＳ８においてラジオボタンＲ１１が選択され、受付部１１が、受付ジョブをそのまま実行させる優先指示を受け付けたとする（Ｓ１０；ＹＥＳ）。この場合、図１２Ｂの二列欄に示すように、調整印刷部１５は、受付ジョブをそのまま実行する。つまり、調整印刷部１５は、画像形成部２２を制御して、受付ジョブの実行指示通り、２ｍ枚の用紙（太線部）にそれぞれ画像Ｄ１〜Ｄ２ｍ（黒塗部）を形成させる。
【０１３５】
ステップＳ８においてラジオボタンＲ１３が選択され、受付部１１が、ラジオボタンＲ１３が示す選択指示を受け付けたとする（Ｓ１０；ＮＯ）。この場合、調整印刷部１５は、図１２Ｂの第三列欄に示すように、当該選択指示が示す変更配列パターンＹ２Ｘｍ−１を用いた調整印刷処理を実行する（Ｓ１２）。つまり、調整印刷部１５は、ステップＳ１２において、変更配列パターンＹ２Ｘｍ−１で配列された２ｍ−２枚の用紙（太線部）に収まるように、全体画像ＤＡ（第一列欄の黒塗部、第三列欄の一点鎖線部）を縮小した縮小画像ＤＹ２Ｘｍ−１（第三列欄の黒塗部）を生成する。そして、調整印刷部１５は、画像形成部２２を制御して、縮小画像ＤＹ２Ｘｍ−１を用紙サイズ毎に分割した各画像を、それぞれ一枚の用紙に形成させる。
【０１３６】
ステップＳ８においてラジオボタンＲ１４が選択され、受付部１１が、ラジオボタンＲ１４が示す選択指示を受け付けたとする（Ｓ１０；ＮＯ）。この場合、調整印刷部１５は、図１２Ｂの第四列欄に示すように、当該選択指示が示す変更配列パターンＹ１Ｘｍを用いた調整印刷処理を実行する（Ｓ１２）。つまり、調整印刷部１５は、ステップＳ１２において、変更配列パターンＹ１Ｘｍで配列されたｍ枚の用紙（太線部）に収まるように、全体画像ＤＡ（第一列欄の黒塗部、第四列欄の一点鎖線部）を縮小した縮小画像ＤＹ１Ｘｍ（第四列欄の黒塗部）を生成する。そして、調整印刷部１５は、画像形成部２２を制御して、縮小画像ＤＹ１Ｘｍを用紙サイズ毎に分割した各画像を、それぞれ一枚の用紙に形成させる。
【０１３７】
また、以下では、図１３Ａ、図１３Ｂを用いて、ステップＳ４で予測された予測配列パターンが配列パターンＹ２Ｘ１である場合、及び、ステップＳ４で予測された予測配列パターンが配列パターンＹ１Ｘ２である場合における図７に示す動作の具体例について説明する。図１３Ａは、予測配列パターンが、用紙を縦方向に二枚、横方向に一枚配列する配列パターンＹ２Ｘ１である場合における図７に示す動作の具体例を示す図である。図１３Ｂは、予測配列パターンが、用紙を縦方向に一枚、横方向に二枚配列する配列パターンＹ１Ｘ２である場合における図７に示す動作の具体例を示す図である。
【０１３８】
図１３Ａの第一列欄に示すように、受付ジョブが二枚の用紙のそれぞれに画像Ｄ１、Ｄ２を形成する印刷ジョブであるとする。また、図１３Ａの第一列欄の白塗部に示すように、当該受付ジョブの実行指示に、各余白領域Ｂ１、Ｂ２を示す余白情報が含まれているとする。これにより、当該余白情報に基づいて、予測部１２が、ステップＳ４において配列パターンＹ２Ｘ１を予測配列パターンとして予測したとする。
【０１３９】
この場合、ステップＳ５において、判定部１３は、余白情報に基づいて、各余白領域Ｂ１、Ｂ２の面積の総和が、予測配列パターンＹ２Ｘ１に対応付けられた閾値ＴＹ２Ｘ１よりも大きいか否かを判定する。
【０１４０】
閾値ＴＹ２Ｘ１は、図４Ａを用いて上述したように、予測配列パターンＹ２Ｘ１で配列した用紙の右端及び下端に余白領域（図１３Ａの第一列欄の破線部）が存在すると仮定した場合の当該余白領域の面積に定められている。本具体例では、各余白領域Ｂ１、Ｂ２の面積の総和は、図１３Ａの第一列欄の白塗部の面積に相当しており、閾値ＴＹ２Ｘ１に相当する図１３Ａの第一列欄の破線部の面積よりも大きくなっている。したがって、本具体例では、判定部１３は、ステップＳ５において、各余白領域Ｂ１、Ｂ２の面積の総和が、予測配列パターンＹ２Ｘ１に対応付けられた閾値ＴＹ２Ｘ１よりも大きいと判定する（Ｓ５；ＹＥＳ）。
【０１４１】
この場合、図６を用いて上述したように、パターン記憶部１４には、予測配列パターンＹ２Ｘ１に対応付けて、用紙を一枚だけ配列する変更配列パターンＹ１Ｘ１のみが記憶されている。
【０１４２】
このため、表示制御部１６は、ステップＳ６において表示する第一操作画面Ｗ１には、図９に示す第一操作画面Ｗ１とは異なり、ラジオボタンＲ１３、Ｒ１４を表示せず、ラジオボタンＲ１１と、変更配列パターンＹ１Ｘ１を選択する選択指示を入力するためのラジオボタンＲ１２と、を表示する。
【０１４３】
ステップＳ８においてラジオボタンＲ１１が選択され、受付部１１が、受付ジョブをそのまま実行させる優先指示を受け付けたとする（Ｓ１０；ＹＥＳ）。この場合、図１３Ａの第二列欄に示すように、調整印刷部１５は、受付ジョブをそのまま実行する。つまり、調整印刷部１５は、画像形成部２２を制御して、受付ジョブの実行指示通り、二枚の用紙（太線部）にそれぞれ画像Ｄ１、Ｄ２（黒塗部）を形成させる。
【０１４４】
ステップＳ８においてラジオボタンＲ１２が選択され、受付部１１が、ラジオボタンＲ１２が示す選択指示を受け付けたとする（Ｓ１０；ＮＯ）。この場合、調整印刷部１５は、図１３Ａの第三列欄に示すように、当該選択指示が示す変更配列パターンＹ１Ｘ１を用いた調整印刷処理を実行する（Ｓ１２）。つまり、調整印刷部１５は、ステップＳ１２において、変更配列パターンＹ１Ｘ１で配列された一枚の用紙（太線部）に収まるように、全体画像ＤＡ（第一列欄の黒塗部、第三列欄の一点鎖線部）を縮小した縮小画像ＤＹ１Ｘ１（第三列欄の黒塗部）を生成する。そして、調整印刷部１５は、画像形成部２２を制御して、縮小画像ＤＹ１Ｘ１を一枚の用紙に形成させる。
【０１４５】
尚、変更配列パターンＹ１Ｘ１は、予測配列パターンＹ２Ｘ１よりも縦方向に配列する用紙の枚数が一枚少ない配列パターンであるともいえる。このため、表示制御部１６は、ステップＳ６において、第一操作画面Ｗ１に、ラジオボタンＲ１２と、ラジオボタンＲ１４と、を共に表示してもよい。又は、表示制御部１６は、ステップＳ６において、第一操作画面Ｗ１に、ラジオボタンＲ１２を表示せず、ラジオボタンＲ１１とラジオボタンＲ１４とを表示してもよい。つまり、受付部１１が、ラジオボタンＲ１２が示す選択指示及びラジオボタンＲ１４が示す選択指示のうち、何れの選択指示を受け付けたとしても、調整印刷部１５は、ステップＳ１２において、当該選択指示が示す変更配列パターンＹ１Ｘ１を用いた調整印刷処理を実行してもよい。
【０１４６】
一方、図１３Ｂの第一列欄に示すように、受付ジョブが二枚の用紙のそれぞれに画像Ｄ１、Ｄ２を形成する印刷ジョブであるとする。また、図１３Ｂの第一列欄の白塗部に示すように、当該受付ジョブの実行指示に、各余白領域Ｂ１、Ｂ２を示す余白情報が含まれているとする。これにより、当該余白情報に基づいて、予測部１２が、ステップＳ４において配列パターンＹ１Ｘ２を予測配列パターンとして予測したとする。
【０１４７】
この場合、ステップＳ５において、判定部１３は、余白情報に基づいて、各余白領域Ｂ１、Ｂ２の面積の総和が、予測配列パターンＹ１Ｘ２に対応付けられた閾値ＴＹ１Ｘ２よりも大きいか否かを判定する。
【０１４８】
閾値ＴＹ１Ｘ２は、図４Ｂを用いて上述したように、予測配列パターンＹ１Ｘ２で配列した用紙の右端及び下端に余白領域（図１３Ｂの第一列欄の破線部）が存在すると仮定した場合の当該余白領域の面積に定められている。本具体例では、各余白領域Ｂ１、Ｂ２の面積の総和は、図１３Ｂの第一列欄の白塗部の面積に相当しており、閾値ＴＹ１Ｘ２に相当する図１３Ｂの第一列欄の破線部の面積よりも大きくなっている。したがって、本具体例では、判定部１３は、ステップＳ５において、各余白領域Ｂ１、Ｂ２の面積の総和が、予測配列パターンＹ１Ｘ２に対応付けられた閾値ＴＹ１Ｘ２よりも大きいと判定する（Ｓ５；ＹＥＳ）。
【０１４９】
この場合、図６を用いて上述したように、パターン記憶部１４には、予測配列パターンＹ１Ｘ２に対応付けて、用紙を一枚だけ配列する変更配列パターンＹ１Ｘ１のみが記憶されている。
【０１５０】
このため、表示制御部１６は、ステップＳ６において表示する第一操作画面Ｗ１には、図９に示す第一操作画面Ｗ１とは異なり、ラジオボタンＲ１３、Ｒ１４を表示せず、ラジオボタンＲ１１と、変更配列パターンＹ１Ｘ１を選択する選択指示を入力するためのラジオボタンＲ１２と、を表示する。
【０１５１】
ステップＳ８においてラジオボタンＲ１１が選択され、受付部１１が、受付ジョブをそのまま実行させる優先指示を受け付けたとする（Ｓ１０；ＹＥＳ）。この場合、図１３Ｂの第二列欄に示すように、調整印刷部１５は、受付ジョブをそのまま実行する。つまり、調整印刷部１５は、画像形成部２２を制御して、受付ジョブの実行指示通り、二枚の用紙（太線部）にそれぞれ画像Ｄ１、Ｄ２（黒塗部）を形成させる。
【０１５２】
ステップＳ８においてラジオボタンＲ１２が選択され、受付部１１が、ラジオボタンＲ１２が示す選択指示を受け付けた場合（Ｓ１０；ＮＯ）、調整印刷部１５は、図１３Ｂの第三列欄に示すように、当該選択指示が示す変更配列パターンＹ１Ｘ１を用いた調整印刷処理を実行する（Ｓ１２）。つまり、調整印刷部１５は、ステップＳ１２において、変更配列パターンＹ１Ｘ１で配列された一枚の用紙（太線部）に収まるように、全体画像ＤＡ（第一列欄の黒塗部、第三列欄の一点鎖線部）を縮小した縮小画像ＤＹ１Ｘ１（第三列欄の黒塗部）を生成する。そして、調整印刷部１５は、画像形成部２２を制御して、縮小画像ＤＹ１Ｘ１を一枚の用紙に形成させる。
【０１５３】
尚、変更配列パターンＹ１Ｘ１は、予測配列パターンＹ１Ｘ２よりも横方向に配列する用紙の枚数が一枚少ない配列パターンであるともいえる。このため、表示制御部１６は、ステップＳ６において、第一操作画面Ｗ１に、ラジオボタンＲ１２と、ラジオボタンＲ１３と、を共に表示してもよい。又は、表示制御部１６は、ステップＳ６において、第一操作画面Ｗ１に、ラジオボタンＲ１２を表示せず、ラジオボタンＲ１１とラジオボタンＲ１３とを表示してもよい。つまり、受付部１１が、ラジオボタンＲ１２が示す選択指示及びラジオボタンＲ１３が示す選択指示のうち、何れの選択指示を受け付けたとしても、調整印刷部１５は、ステップＳ１２において、当該選択指示が示す変更配列パターンＹ１Ｘ１を用いた調整印刷処理を実行してもよい。
【０１５４】
第一実施形態の構成によれば、以下に示す効果が得られる。
【０１５５】
ユーザーが適切な印刷条件を入力しないまま印刷ジョブの実行指示を適切に生成しなかったこと等に起因して、受付ジョブをそのまま実行した場合に、ユーザーが意図していたよりも多くの用紙に画像がはみ出るようにして形成され、余白領域の総面積がユーザーが意図していたよりも大きくなる虞がある。
【０１５６】
しかし、第一実施形態の構成では、受付ジョブの実行指示に含まれる余白情報に基づき、受付ジョブの実行により得られる複数枚の出力用紙における各余白領域の面積の総和が予測配列パターンに対応付けられた閾値よりも大きいか否かを判定する（Ｓ５）。そして、大きいと判定した場合には（Ｓ５；ＹＥＳ）、調整印刷処理を実行する（Ｓ１２）。
【０１５７】
当該調整印刷処理の実行により、本来形成する対象の全体画像ＤＡを縮小した画像を、当該予測配列パターンに対応付けられた変更配列パターンで配列した用紙に収まるように形成することができる。これにより、上記のような受付ジョブの実行指示が受け付けられた場合に、ユーザーが意図していない、余白領域が大きくなるようなレイアウトで画像が形成された複数枚の用紙が出力される虞を低減することができる。
【０１５８】
また、変更配列パターンは、予測配列パターンよりも配列する用紙の枚数が少ない配列パターンに定められている。このため、調整印刷処理を実行することにより、受付ジョブをそのまま実行する場合に比して、少ない枚数の出力用紙を得ることができる。その結果、無駄に用紙が消費される虞を低減することができる。
【０１５９】
また、調整印刷部１５は、第一操作画面Ｗ１において、受付ジョブをそのまま実行させる優先指示が入力された場合（Ｓ１０；ＹＥＳ）、受付ジョブをそのまま実行し、一の変更配列パターンを選択する選択指示が入力された場合（Ｓ１０；ＮＯ）、当該選択指示が示す一の変更配列パターンを用いて調整印刷処理を実行する（Ｓ１２）。
【０１６０】
つまり、ユーザーは、第一操作画面Ｗ１において入力操作を行うことによって、受付ジョブをそのまま実行させる（Ｓ１１）か、意図した変更配列パターンを用いた調整印刷処理を実行させる（Ｓ１２）かを、意図に応じて切り替えることができる。これにより、ユーザーの意図しないレイアウトで画像が形成された複数枚の用紙が出力される虞を更に低減することができる。
【０１６１】
また、調整印刷部１５は、第一操作画面Ｗ１において、プレビューボタンＫ１３（図９）が押下された場合に（Ｓ１３；ＹＥＳ）、ユーザーにより選択された指示に応じたプレビュー画面ＷＰ（図１１）を表示部２３１に表示する（Ｓ１４）。
【０１６２】
これにより、ユーザーは、第一操作画面Ｗ１において入力した指示に応じて、受付ジョブをそのまま実行させる（Ｓ１１）、又は、意図した変更配列パターンを用いた調整印刷処理を実行させる（Ｓ１２）事前に、当該実行結果を表す画像を視認することができる。その結果、ユーザーの意図しないレイアウトで画像が形成された複数枚の用紙が出力される虞を更に低減することができる。
【０１６３】
また、パターン記憶部１４において、用紙を縦方向に二枚以上配列する配列パターンには、当該配列パターンよりも縦方向に配列する用紙の枚数が一枚少ない変更配列パターンが対応付けて記憶されている（図６）。
【０１６４】
したがって、予測配列パターンよりも縦方向に配列する用紙の枚数が一枚少ない変更配列パターンを用いた調整印刷処理を実行することにより、縦方向に画像がはみ出るようにして形成されている用紙が出力される虞を低減することができる。
【０１６５】
また、パターン記憶部１４において、用紙を横方向に二枚以上配列する配列パターンには、当該配列パターンよりも横方向に配列する用紙の枚数が一枚少ない変更配列パターンが対応付けて記憶されている（図６）。
【０１６６】
したがって、予測配列パターンよりも横方向に配列する用紙の枚数が一枚少ない変更配列パターンを用いた調整印刷処理を実行することにより、横方向に画像がはみ出るようにして形成されている用紙が出力される虞を低減することができる。
【０１６７】
また、パターン記憶部１４において、縦方向に二枚以下の用紙を配列し、且つ、横方向に二枚以下の用紙を配列する配列パターンには、用紙を一枚だけ配列する変更配列パターンが対応付けられている（図６）。
【０１６８】
縦方向、横方向共に二枚以下に配列した用紙において、各余白領域の面積の総和が大きなるようにして画像が形成されている場合、当該画像を一枚の用紙に収めるように縮小して、当該縮小後の画像を一枚の用紙に形成したとしても、当該画像の視認性は維持されると考えられる。
【０１６９】
このため、予測配列パターンが縦方向に二枚以下の用紙を配列し、且つ、横方向に二枚以下の用紙を配列する配列パターンである場合に、用紙を一枚だけ配列する変更配列パターンを用いた調整印刷処理を実行することにより、画像の視認性を維持しつつ、無駄に用紙が消費される虞を低減することができる。
【０１７０】
また、図５Ａ〜図５Ｃに示したように、配列パターンＹ１Ｘｍ（ｍ≧３）、配列パターンＹｎＸ１（ｎ≧３）、及び配列パターンＹｎＸｍ（ｎ、ｍ≧３）に対応付けられた閾値ＴＹ１Ｘｍ、ＴＹｎＸ１、ＴＹｎＸｍは、当該各配列パターンで配列する全ての用紙の総面積に定められている。これにより、予測配列パターンが上記各配列パターンである場合には、必ず、判定部１３に上記総和が閾値以下であると判定させることができる。
【０１７１】
予測部１２により、受付ジョブの実行指示に含まれる余白情報に基づき、用紙を縦方向に一枚且つ横方向に三枚以上配列する配列パターンＹ１Ｘｍ（ｍ≧３）、又は、用紙を横方向に一枚且つ縦方向に三枚以上配列する配列パターンＹｎＸ１（ｎ≧３）が予測配列パターンとして予測されたとする。この場合の受付ジョブの実行指示は、例えばＭｉｃｒｏｓｏｆｔ  Ｗｏｒｄ（登録商標）等で編集した文章を表す画像を、縦方向又は横方向に一列に配列した複数枚の用紙に形成させようとして、ユーザーが意図的に生成した印刷ジョブの実行指示であると考えられる。
【０１７２】
つまり、第一実施形態の構成によれば、予測配列パターンが配列パターンＹ１Ｘｍ（ｍ≧３）又は配列パターンＹｎＸ１（ｎ≧３）の場合には、必ず判定部１３に上記総和が閾値以下であると判定させて、必ず、受付ジョブをそのまま実行させることができる。これにより、文章を表す画像を、縦方向又は横方向に一列に配列した複数枚の用紙に形成させようとしてユーザーが印刷ジョブの実行指示を生成した場合に、ユーザーの意図したレイアウトで当該画像が形成された用紙が出力される可能性を向上することができる。
【０１７３】
また、予測部１２により、受付ジョブの実行指示に含まれる余白情報に基づき、配列パターンＹｎＸｍ（ｎ、ｍ≧３）が予測配列パターンとして予測されたとする。この場合の受付ジョブの実行指示は、例えば、列数や行数が非常に大きい表等を表す大きな矩形の画像を、縦横両方向にそれぞれ三枚以上配列した複数枚の用紙に形成させようとして、ユーザーが意図的に生成した印刷ジョブの実行指示であると考えられる。
【０１７４】
つまり、第一実施形態の構成によれば、予測配列パターンが配列パターンＹｎＸｍ（ｎ、ｍ≧３）の場合には、必ず判定部１３に上記総和が閾値以下であると判定させて、必ず、受付ジョブをそのまま実行させることができる。これにより、大きな矩形の画像を、縦横両方向にそれぞれ三枚以上配列した複数枚の用紙に形成させようとしてユーザーが印刷ジョブの実行指示を生成した場合に、ユーザーの意図したレイアウトで当該画像が形成された用紙が出力される可能性を向上することができる。
【０１７５】
また、調整印刷部１５は、受付ジョブの実行指示に、当該実行指示が所定の表計算ソフトウェアにより生成されたことを示す情報が含まれていない場合（Ｓ２；ＮＯ）、受付ジョブをそのまま実行する（Ｓ１１）。
【０１７６】
Ｍｉｃｒｏｓｏｆｔ  Ｅｘｃｅｌ（登録商標）等の表計算ソフトで編集した表を表す矩形の画像を印刷する場合、ユーザーが出力用紙のサイズや印刷範囲等の印刷条件を適切に入力せず、印刷条件が初期設定された状態で、印刷ジョブの実行指示が生成されることがある。このような実行指示に基づき印刷ジョブが実行された場合、ユーザーが意図していたよりも多くの枚数の用紙に画像がはみ出るように形成される等、ユーザーの意図しないレイアウトで画像が形成された用紙が出力される虞がある。しかし、表計算ソフト以外のソフトで編集した画像を印刷する場合には、このような虞は略ないと考えられる。
【０１７７】
つまり、第一実施形態の構成によれば、受付ジョブの実行指示に当該実行指示が所定の表計算ソフトウェアにより生成されたことを示す情報が含まれていない場合には、ユーザーの意図しないレイアウトで画像が形成された用紙が出力される可能性が低いことを加味して、迅速に受付ジョブを実行することができる。
【０１７８】
尚、第一実施形態は、本発明に係る実施形態の例示に過ぎない。例えば、以下に示す、変形実施形態であってもよい。
【０１７９】
（１）ステップＳ２を省略してもよい。
【０１８０】
（２）第一操作画面Ｗ１にプレビューボタンＫ１３を含めないようにし、これに合わせてステップＳ１３、Ｓ１４を省略してもよい。
【０１８１】
（３）制御部１０が表示制御部１６として動作しないようにして、ステップＳ６〜Ｓ１０、Ｓ１３、Ｓ１４を省略してもよい。これに合わせて、ステップＳ５において、判定部１３が、上記総和がステップＳ４で予測された予測配列パターンに対応付られた閾値よりも大きいと判定した場合に（Ｓ５；ＹＥＳ）、調整印刷部１５がステップＳ１２を実行するようにしてもよい。
【０１８２】
そして、調整印刷部１５が、当該ステップＳ１２の調整印刷処理において、ステップＳ４で予測された予測配列パターンに対応付られた一以上の変更配列パターンのうち、所定の一の変更配列パターンを用いるようにしてもよい。所定の一の変更配列パターンは、例えば、パターン記憶部１４に記憶されている予測配列パターンに対応付られた一以上の変更配列パターンのうち、最も配列する用紙の枚数が少ない変更配列パターンや、パターン記憶部１４の記憶領域における、最も先頭に近いアドレスの記憶領域に記憶されている変更配列パターン等、適宜定めてよい。
【０１８３】
（４）図１の破線部に示すように、制御部１０が、更に、調整切替部１７として動作するようにしてもよい。図１４は、第二操作画面Ｗ２の一例を示す図である。調整切替部１７は、プリンター１の初期設定を行う場合等、受付部１１が印刷ジョブを受け付けていない所定のタイミングで、例えば図１４に示すように、自動調整指示又は手動調整指示が入力可能な第二操作画面Ｗ２を表示部２３１に表示する。
【０１８４】
第二操作画面Ｗ２には、二個のラジオボタンＲ２１、Ｒ２２と、ＯＫボタンＫ２１と、閉じるボタンＫ２２と、が含まれる。
【０１８５】
二個のラジオボタンＲ２１、Ｒ２２は、何れか一のラジオボタンだけを選択可能になっている。ラジオボタンＲ２１は、手動調整指示を入力するために設けられている。ラジオボタンＲ２２は、自動調整指示を入力するために設けられている。
【０１８６】
ＯＫボタンＫ２１は、ユーザーにより選択された一のラジオボタンＲ２１、Ｒ２２が示す指示の入力を確定するために設けられている。つまり、ユーザーによって、ラジオボタンＲ２１、Ｒ２２のうち、何れか一のラジオボタンが選択された後、ＯＫボタンＫ１１が押下されたとする。この場合、当該選択された一のラジオボタンが示す指示の入力が確定され、受付部１１によって当該指示が受け付けられる。
【０１８７】
例えば、ラジオボタンＲ２１が選択された後、ＯＫボタンＫ２１が押下されたとする。この場合、受付部１１によって、ラジオボタンＲ２１が示す、手動調整指示が受け付けられる。また、ラジオボタンＲ２２が選択された後、ＯＫボタンＫ２１が押下されたとする。この場合、受付部１１によって、ラジオボタンＲ２２が示す、自動調整指示が受け付けられる。
【０１８８】
調整切替部１７は、第二操作画面Ｗ２においてラジオボタンＲ２２が選択され、受付部１１により、自動調整指示が受け付けられた場合、上記（３）の変形実施形態と同様に、ステップＳ６〜Ｓ１０、Ｓ１３、Ｓ１４を省略する。そして、調整切替部１７は、ステップＳ５において、判定部１３が上記総和がステップＳ４で予測された予測配列パターンに対応付られた閾値よりも大きいと判定した場合に（Ｓ５；ＹＥＳ）、ステップＳ４で予測された予測配列パターンに対応付られた一以上の変更配列パターンのうち、所定の一の変更配列パターンを用いて、調整印刷部１５にステップＳ１２の調整印刷処理を実行させる。
【０１８９】
調整切替部１７は、第二操作画面Ｗ２においてラジオボタンＲ２１が選択され、受付部１１により、手動調整指示が受け付けられた場合は、図７に示す通りの動作を行わせる。つまり、調整切替部１７は、手動調整指示が受け付けられた場合は、ステップＳ１２における調整印刷部１５による調整印刷処理の実行前に、ステップＳ６において、表示制御部１６に第一操作画面Ｗ１を表示させる。
【０１９０】
（４）の変形実施形態の構成によれば、自動的に所定の一の変更配列パターンを用いた調整印刷処理を実行させ、受付ジョブの実行指示に応じた印刷処理を迅速に実行できるようにするか、又は、第一操作画面Ｗ１を表示し、受付ジョブをそのまま実行させるか若しくは選択した一の変更配列パターンを用いた調整印刷処理を実行させるかの指示をユーザーに入力させて、ユーザーの意図に適した印刷処理を実行できるようにするかを、第二操作画面Ｗ２を用いてユーザーに切り替えさせることができる。
【０１９１】
（５）第一実施形態において説明した、パターン記憶部１４に記憶されている変更配列パターンは、本発明に係る実施形態の例示に過ぎない。例えば、各配列パターンに対して、上記一以上の変更配列パターンのうち、一つの変更配列パターンだけを対応付けるようにして、パターン記憶部１４に記憶してもよい。
【０１９２】
（６）第一実施形態において説明した、不揮発性メモリーに記憶されている、各配列パターンに対応付けられた閾値は、本発明に係る実施形態の例示に過ぎない。
【０１９３】
例えば、図５Ａ〜図５Ｃに示すように、配列パターンＹｎＸ１（ｎ≧３）、Ｙ１Ｘｍ（ｍ≧３）、ＹｎＸｍ（ｎ、ｍ≧３）に対応する閾値ＴＹｎＸ１、Ｙ１Ｘｍ、ＹｎＸｍも、図４Ａ〜図４Ｃに示す閾値ＴＹ２Ｘ１、ＴＹ１Ｘ２、ＹｕＸ２（ｕ以上２）と同様に定めてもよい。つまり、各閾値ＴＹｎＸ１、Ｙ１Ｘｍ、ＹｎＸｍを、各配列パターンＹｎＸ１、Ｙ１Ｘｍ、ＹｎＸｍで配列した用紙の右端及び下端に余白領域が存在すると仮定した場合の当該余白領域の面積に定めてもよい。
【０１９４】
または、各配列パターンに対応付けられた閾値を、各配列パターンで配列した用紙の面積に比して、十分に小さいと考えられる所定の面積（例えば、当該配列した用紙の総面積の５パーセントの面積等）に定めてもよい。
【０１９５】
（第二実施形態）
以下、本発明に係る画像形成装置の第二実施形態を図面に基づいて説明する。尚、本実施形態では、画像形成装置としてプリンターを例に説明するが、これに限定する趣旨ではなく、画像形成装置は、例えば、ファクシミリ装置又は複合機であってもよい。
【０１９６】
図１５は、本発明に係る画像形成装置の第二実施形態に係るプリンター３の電気的構成を示すブロック図である。図１５に示すように、プリンター３は、第一実施形態と同様の画像形成部２２、操作部２３、及び通信部２４と、制御部３０と、を備えている。画像形成部２２、操作部２３、及び通信部２４の詳細については、第一実施形態において説明したので、説明を省略する。
【０１９７】
制御部３０は、第一実施形態における制御部１０と同様、不図示のＣＰＵと、不図示の不揮発性メモリーと、不図示のＲＡＭと、これらの周辺回路等とを備えている。制御部３０は、不揮発性メモリー等に記憶された制御プログラムをＣＰＵによって実行することによって各種処理を実行し、プリンター３の各部の動作を制御する。
【０１９８】
例えば、制御部３０は、通信部２４によって印刷ジョブの実行指示が受信されると、当該印刷ジョブの実行指示に基づいて、画像形成部２２に画像を用紙に形成させる。制御部３０は、印刷ジョブの実行指示に基づいて画像形成部２２に画像を用紙に形成させる動作に関し、特に、図１５の実線部に示すように、受付部３１、第一判定部３２、第二判定部３３、調整印刷部３４、表示制御部３５として動作する。
【０１９９】
受付部３１は、ユーザーによる表示部２３１のタッチ操作や操作キー部２３２の操作により入力されたプリンター３に対する各種指示を受け付ける。また、受付部３１は、外部装置から送信されてきた、一枚以上の用紙にそれぞれ画像を形成する印刷ジョブの実行指示が通信部２４によって受信された場合に、当該印刷ジョブの実行指示を受け付ける。
【０２００】
具体的には、印刷ジョブの実行指示には、上記生成ソフト情報、上記出力枚数情報、上記用紙サイズ情報、各用紙に形成する対象の画像を表す画像データ、各用紙における画像を形成する描画領域と各用紙における画像を形成しない余白領域とを示す領域情報等が含まれる。以下、受付部３１により受け付けられた印刷ジョブの実行指示を、受付ジョブの実行指示と記載する。
【０２０１】
第一判定部３２は、受付ジョブが一枚の用紙に画像を形成する印刷ジョブである場合に、当該受付ジョブの実行指示に含まれる領域情報に基づき、描画領域よりも左右方向に存在する余白領域の第一面積が予め定められた第一閾値よりも大きいか否かを判定する。
【０２０２】
第二判定部３３は、受付ジョブが一枚の用紙に画像を形成する印刷ジョブである場合に、当該受付ジョブの実行指示に含まれる領域情報に基づき、描画領域よりも上下方向に存在する余白領域の第二面積が予め定められた第一閾値よりも大きいか否かを判定する。
【０２０３】
図１６は、第一閾値Ｔ１、第二閾値Ｔ２、第一面積ＢＳ１及び第二面積ＢＳ２の関係を示す図である。具体的には、第一閾値Ｔ１及び第二閾値Ｔ２は、以下のようにして定められ、制御部３０内の不揮発性メモリーに記憶されている。
【０２０４】
図１６に示すように、画像Ｇ（黒塗部）が形成された一枚の用紙において、用紙の左右方向（Ｘ方向）の長さ（以下、左右方向の長さを幅と記載する）ｗの０．３倍の幅を有する二個の余白領域ＢＲ、ＢＢＲが、画像Ｇが形成される描画領域ＧＡ（太実線部）よりも右方向に存在していると仮定する。また、当該用紙の上下方向（Ｙ方向）の長さ（以下、上下方向の長さを高さと記載する）ｈの０．３倍の高さを有する二個の余白領域ＢＢ、ＢＢＲが、描画領域ＧＡよりも下方向に存在していると仮定する。
【０２０５】
この場合に、描画領域ＧＡよりも右方向に存在する二個の余白領域ＢＲ、ＢＢＲの面積の総和（破線部の面積に相当）が、第一閾値Ｔ１として定められている。また、描画領域よりも下方向に存在する二個の余白領域ＢＢ、ＢＢＲの面積の総和（一点鎖線部の面積に相当）が第二閾値Ｔ２として定められている。つまり、第一閾値Ｔ１は、以下に示す式で算出される。Ｔ１  ＝  ｈ×０．３×ｗ。第二閾値Ｔ２は、以下に示す式で算出される。Ｔ２  ＝  ０．３×ｈ×ｗ。
【０２０６】
第一判定部３２及び第二判定部３３は、受付ジョブが一枚の用紙に画像を形成する印刷ジョブである場合、受付ジョブの実行指示に含まれる領域情報に基づいて、当該一枚の用紙における描画領域ＧＡに対して下方向に隣接する余白領域ＢＢと、描画領域ＧＡに対して右方向に隣接する余白領域ＢＲと、余白領域ＢＢに対して右方向に隣接し、且つ、余白領域ＢＲに対して下方向に隣接する余白領域ＢＢＲと、が存在することを把握する。
【０２０７】
そして、第一判定部３２は、描画領域ＧＡよりも右方向に存在する二個の余白領域ＢＲ、ＢＢＲの面積の総和を算出する。そして、第一判定部３２は、当該算出した面積の総和を第一面積ＢＳ１とし、第一面積ＢＳ１が第一閾値Ｔ１よりも大きいか否かを判定する。
【０２０８】
一方、第二判定部３３は、当該一枚の用紙における描画領域ＧＡよりも下方向に存在する二個の余白領域ＢＢ、ＢＢＲの面積の総和を算出する。そして、第二判定部３３は、当該算出した総和を第二面積ＢＳ２とし、第二面積ＢＳ２が第二閾値Ｔ２よりも大きいか否かを判定する。
【０２０９】
尚、第一判定部３２及び第二判定部３３の動作の詳細については後述する。
【０２１０】
図１５に参照を戻す。調整印刷部３４は、第一判定部３２により第一面積ＢＳ１が第一閾値Ｔ１よりも大きいと判定された場合、又は、第二判定部３３により第二面積ＢＳ２が第二閾値Ｔ２よりも大きいと判定された場合に、調整印刷処理を実行する。
【０２１１】
調整印刷処理とは、受付ジョブによる形成対象の画像Ｇを、第一面積ＢＳ１又は第二面積ＢＳ２が小さくなるように拡大し、画像形成部２２を制御して、当該拡大後の画像を一枚以上の用紙に形成させる処理である。
【０２１２】
以下、受付ジョブによる形成対象の画像Ｇを第一面積ＢＳ１が小さくなるように拡大する調整印刷処理を第一調整印刷処理と記載する。一方、受付ジョブによる形成対象の画像Ｇを第二面積ＢＳ２が小さくなるように拡大する調整印刷処理を第二調整印刷処理と記載する。尚、第一調整印刷処理及び第二調整印刷処理の詳細については後述する。
【０２１３】
また、調整印刷部３４は、第一判定部３２により第一面積ＢＳ１が第一閾値Ｔ１以下であると判定され、且つ、第二判定部３３により第二面積ＢＳ２が第二閾値Ｔ２以下であると判定された場合、受付ジョブをそのまま実行する。受付ジョブをそのまま実行するとは、画像形成部２２を制御して、受付ジョブの実行指示通りに、一枚以上の用紙にそれぞれ画像を形成させることを示す。
【０２１４】
また、調整印刷部３４は、第一実施形態における調整印刷部１５と同様、受付ジョブの実行指示に、当該実行指示が所定の表計算ソフトウェアにより生成されたことを示す情報が含まれていない場合も、受付ジョブをそのまま実行する。
【０２１５】
また、調整印刷部３４は、受付ジョブが複数枚の用紙にそれぞれ画像を形成する印刷ジョブである場合も、受付ジョブをそのまま実行する。尚、調整印刷部３４の動作の詳細については後述する。
【０２１６】
表示制御部３５は、第一判定部３２により第一面積ＢＳ１が第一閾値Ｔ１よりも大きいと判定された場合、又は、第二判定部３３により第二面積ＢＳ２が第二閾値Ｔ２よりも大きいと判定された場合、調整印刷部３４による調整印刷処理の実行前に、第一操作画面を表示部２３１に表示する。
【０２１７】
第一操作画面は、受付ジョブをそのまま実行させる優先指示、又は、第一調整印刷処理若しくは第二調整印刷処理を選択する選択指示が入力可能に構成されている。第一操作画面の詳細及び表示制御部３５の動作の詳細については後述する。
【０２１８】
以下、制御部３０が、印刷ジョブの実行指示に基づいて画像形成部２２に画像を用紙に形成させる動作の詳細について説明する。当該説明の中で、第一判定部３２、第二判定部３３、調整印刷部３４及び表示制御部３５の動作の詳細、並びに、第一調整印刷処理、第二調整印刷処理及び第一操作画面の詳細について説明する。図１７は、制御部３０が印刷ジョブの実行指示に基づいて画像形成部２２に画像を用紙に形成させる動作を示すフローチャートである。
【０２１９】
図１７に示すように、受付部３１により印刷ジョブの実行指示が受け付けられると（ＳＴ１）、調整印刷部３４は、受付部３１により受け付けられた印刷ジョブ（以下、受付ジョブと記載）の実行指示に、当該実行指示が所定の表計算ソフトウェアにより生成されたことを示す情報が含まれているか否かを判定する（ＳＴ２）。
【０２２０】
調整印刷部３４は、ステップＳＴ２において、受付ジョブの実行指示に、当該実行指示が所定の表計算ソフトウェアにより生成されたことを示す情報が含まれていないと判定した場合（ＳＴ２；ＮＯ）、受付ジョブをそのまま実行する（ＳＴ１１）。
【０２２１】
一方、調整印刷部３４は、ステップＳＴ２において、受付ジョブの実行指示に、当該実行指示が所定の表計算ソフトウェアにより生成されたことを示す情報が含まれていると判定したとする（ＳＴ２；ＹＥＳ）。この場合、調整印刷部３４は、当該受付ジョブの実行指示に含まれる上記出力枚数情報に基づき、又は当該実行指示に含まれる画像データの数をカウントする等して、受付ジョブが一枚の用紙に画像を形成させる印刷ジョブであるか否かを判定する（ＳＴ３）。
【０２２２】
調整印刷部３４は、ステップＳＴ３において、受付ジョブが、一枚の用紙に画像を形成させる印刷ジョブではないと判定した場合も（ＳＴ３；ＮＯ）、受付ジョブをそのまま実行する（ＳＴ１１）。
【０２２３】
一方、調整印刷部３４が、ステップＳＴ３において、受付ジョブが一枚の用紙に画像を形成させる印刷ジョブであると判定したとする（ＳＴ３；ＹＥＳ）。この場合、第一判定部３２は、受付ジョブの実行指示に含まれる領域情報に基づき、第一面積ＢＳ１が第一閾値Ｔ１よりも大きいか否かを判定する。また、第二判定部３３は、受付ジョブの実行指示に含まれる領域情報に基づき、第二面積ＢＳ２が第二閾値Ｔ２よりも大きいか否かを判定する（ＳＴ４）。
【０２２４】
ステップＳＴ４において、第一判定部３２により、第一面積ＢＳ１が第一閾値Ｔ１よりも大きいと判定された場合、又は、第二判定部３３により、第二面積ＢＳ２が第二閾値Ｔ２よりも大きいと判定された場合（ＳＴ５；ＹＥＳ）、表示制御部３５は、第一操作画面を表示部２３１に表示する（ＳＴ６）。
【０２２５】
以下、ステップＳＴ４〜ＳＴ６の詳細について具体例を用いて説明する。図１８は、第一判定部３２により第一面積ＢＳ１が第一閾値Ｔ１よりも大きいと判定され、且つ、第二判定部３３により第二面積ＢＳ２が第二閾値Ｔ２よりも大きいと判定された場合における図１７に示す動作の具体例を示す図である。
【０２２６】
本具体例では、図１８の第一列欄に示すように、受付ジョブが一枚の用紙に画像Ｇ（黒塗部）を形成する印刷ジョブであるとする。また、受付ジョブの実行指示には、画像Ｇが形成される描画領域ＧＡ（太実線部）と、第一列欄の白塗部に示すように、描画領域ＧＡに対して下方向に隣接する余白領域ＢＢと、描画領域ＧＡに対して右方向に隣接する余白領域ＢＲと、余白領域ＢＢに対して右方向に隣接し、且つ、余白領域ＢＲに対して下方向に隣接する余白領域ＢＢＲと、を示す領域情報が含まれているとする。また、余白領域ＢＢの面積と余白領域ＢＢＲの面積の和が、余白領域ＢＲの面積と余白領域ＢＢＲの面積の和よりも小さいものとする。
【０２２７】
この場合、ステップＳＴ４において、第一判定部３２及び第二判定部３３は、受付ジョブの実行指示に含まれる領域情報に基づき、図１８の第一列欄の太実線部に示す描画領域ＧＡと、図１８の第一列欄の白塗部に示す三個の余白領域ＢＢ、ＢＲ、ＢＢＲを把握する。
【０２２８】
そして、第一判定部３２は、描画領域ＧＡよりも右方向に存在する二個の余白領域ＢＲ、ＢＢＲの面積の総和である第一面積ＢＳ１が第一閾値Ｔ１よりも大きいか否かを判定する。
【０２２９】
第一閾値Ｔ１は、図１６を用いて上述したように、二個の余白領域ＢＲ、ＢＢＲが用紙の幅ｗの０．３倍の幅を有する（図１８の第一列欄の破線部）と仮定した場合の、当該二個の余白領域ＢＲ、ＢＢＲの面積の総和に定められている。本具体例では、図１８の第一列欄の白塗部に示すように、二個の余白領域ＢＲ、ＢＢＲの面積の総和は、第一閾値Ｔ１に相当する図１８の第一列欄の破線部の面積よりも大きくなっている。したがって、本具体例では、第一判定部３２は、ステップＳＴ４において、第一面積ＢＳ１が第一閾値Ｔ１よりも大きいと判定する。
【０２３０】
一方、第二判定部３３は、描画領域ＧＡよりも下方向に存在する二個の余白領域ＢＢ、ＢＢＲの面積の総和である第二面積ＢＳ２が第二閾値Ｔ２よりも大きいか否かを判定する。
【０２３１】
第二閾値Ｔ２は、図１６を用いて上述したように、二個の余白領域ＢＢ、ＢＢＲが用紙の高さｈの０．３倍の高さを有する（図１８の第一列欄の一点鎖線部）と仮定した場合の、当該二個の余白領域ＢＢ、ＢＢＲの面積の総和に定められている。本具体例では、図１８の第一列欄の白塗部に示すように、二個の余白領域ＢＢ、ＢＢＲの面積の総和は、第二閾値Ｔ２に相当する図１８の第一列欄の一点鎖線部の面積よりも大きくなっている。したがって、本具体例では、第二判定部３３は、ステップＳＴ４において、第二面積ＢＳ２が第二閾値Ｔ２よりも大きいと判定する。
【０２３２】
図１９は、第一操作画面Ｍ１の一例を示す図である。このように、第一判定部３２により第一面積ＢＳ１が第一閾値Ｔ１よりも大きいと判定され、且つ、第二判定部３３により第二面積ＢＳ２が第二閾値Ｔ２よりも大きいと判定されたとする（ＳＴ５；ＹＥＳ）。この場合、表示制御部３５は、ステップＳＴ６において、例えば図１９に示す第一操作画面Ｍ１を表示部２３１に表示する。第一操作画面Ｍ１には、四個のラジオボタンＣ１１〜Ｃ１４と、ＯＫボタンＦ１１と、中止ボタンＦ１２と、プレビューボタンＦ１３と、が含まれる。
【０２３３】
四個のラジオボタンＣ１１〜Ｃ１４は、何れか一のラジオボタンだけを選択可能になっている。ラジオボタンＣ１１は、受付ジョブをそのまま実行させる優先指示を入力するために設けられている。ラジオボタンＣ１２〜Ｃ１４は、第一調整印刷処理又は第二調整印刷処理を選択する選択指示を入力するために設けられている。
【０２３４】
具体的には、ラジオボタンＣ１２は、受付ジョブによる形成対象の画像Ｇを、第一面積ＢＳ１及び第二面積ＢＳ２のうち小さい方の面積が小さくなるように拡大する調整印刷処理を選択する選択指示を入力するために設けられている。
【０２３５】
例えば、本具体例では、上述のように、第二面積ＢＳ２（二個の余白領域ＢＢ、ＢＢＲの面積の総和）が、第一面積ＢＳ１（二個の余白領域ＢＲ、ＢＢＲの面積の総和）よりも小さくなっている。このため、ユーザーによる表示部２３１のタッチ操作等によって、ラジオボタンＣ１２が選択されると、画像Ｇを第二面積ＢＳ２が小さくなるように拡大する第二調整印刷処理を選択する選択指示が入力される。
【０２３６】
尚、本具体例とは異なり、第一面積ＢＳ１が第二面積ＢＳ２よりも小さい場合にラジオボタンＣ１２が選択されたときは、第一調整印刷処理を選択する選択指示が入力される。
【０２３７】
また、第一面積ＢＳ１と第二面積ＢＳ２とが等しい場合にラジオボタンＣ１２が選択されると、第一調整印刷処理を選択する選択指示が入力される。ただし、これとは反対に、第一面積ＢＳ１と第二面積ＢＳ２とが等しい場合にラジオボタンＣ１２が選択されると、第二調整印刷処理を選択する選択指示が入力されるようにしてもよい。又は、第一面積ＢＳ１と第二面積ＢＳ２とが等しい場合、表示制御部３５は、第一操作画面Ｍ１内にラジオボタンＣ１２を表示しないようにしてもよい。
【０２３８】
ラジオボタンＣ１３は、第一調整印刷処理を選択する選択指示を入力するために設けられている。ラジオボタンＣ１４は、第二調整印刷処理を選択する選択指示を入力するために設けられている。
【０２３９】
ＯＫボタンＦ１１は、ユーザーにより選択された一のラジオボタンＣ１１〜Ｃ１４が示す指示の入力を確定するために設けられている。つまり、四個のラジオボタンＣ１１〜Ｃ１４のうち、何れか一のラジオボタンが選択された後、ＯＫボタンＦ１１が押下されたとする。この場合、当該選択された一のラジオボタンが示す指示の入力が確定され、受付部３１によって当該指示が受け付けられる。
【０２４０】
例えば、ラジオボタンＣ１１が選択された後、ＯＫボタンＦ１１が押下されたとする。この場合、受付部３１によって、ラジオボタンＣ１１が示す、受付ジョブをそのまま実行させる優先指示が受け付けられる。ラジオボタンＣ１３が選択された後、ＯＫボタンＦ１１が押下されると、受付部３１によって、ラジオボタンＣ１３が示す、第一調整印刷処理を選択する選択指示が受け付けられる。また、ラジオボタンＣ１４が選択された後、ＯＫボタンＦ１１が押下されると、受付部３１によって、ラジオボタンＣ１４が示す、第二調整印刷処理を選択する選択指示が受け付けられる。
【０２４１】
また、上述のように、本具体例では、ラジオボタンＣ１２が選択されると、第二調整印刷処理を選択する選択指示が入力される。このため、ラジオボタンＣ１２が選択された後、ＯＫボタンＦ１１が押下されると、第二調整印刷処理を選択する選択指示の入力が確定され、受付部３１によって、第二調整印刷処理を選択する選択指示が受け付けられる。
【０２４２】
中止ボタンＦ１２は、受付ジョブの実行を中止させるジョブ中止指示を入力するために設けられている。つまり、中止ボタンＦ１２が押下されると、受付部３１によって、ジョブ中止指示が受け付けられる。受付部３１が、ジョブ中止指示を受け付けた場合の動作については後述する。
【０２４３】
プレビューボタンＦ１３は、プレビューの実行指示を入力するために設けられている。つまり、プレビューボタンＦ１３が押下されると、受付部３１によって、プレビューの実行指示が受け付けられる。受付部３１が、プレビューの実行指示を受け付けた場合の動作については後述する。
【０２４４】
図１７に参照を戻す。ステップＳＴ４において、第一判定部３２により第一面積ＢＳ１が第一閾値Ｔ１以下であると判定され、且つ、第二判定部３３により第二面積ＢＳ２が第二閾値Ｔ２以下であると判定されたとする（ＳＴ５；ＮＯ）。この場合、調整印刷部３４は、受付ジョブをそのまま実行する（ＳＴ１１）。この場合の具体例について以下に説明する。
【０２４５】
図２０は、第一判定部３２により第一面積ＢＳ１が第一閾値Ｔ１以下であると判定され、且つ、第二判定部３３により第二面積ＢＳ２が第二閾値Ｔ２以下であると判定された場合における図１７に示す動作の具体例を示す図である。
【０２４６】
例えば、図２０の左欄に示すように、受付ジョブが一枚の用紙に画像Ｇ（黒塗部）を形成する印刷ジョブであるとする。また、受付ジョブの実行指示には、画像Ｇが形成される描画領域ＧＡ（太実線部）と、図２０の左欄の白塗部に示すように、描画領域ＧＡに対して下方向に隣接する余白領域ＢＢと、描画領域ＧＡに対して右方向に隣接する余白領域ＢＲと、余白領域ＢＢに対して右方向に隣接し、且つ、余白領域ＢＲに対して下方向に隣接する余白領域ＢＢＲと、を示す領域情報が含まれているとする。
【０２４７】
この場合、ステップＳＴ４において、第一判定部３２及び第二判定部３３は、受付ジョブの実行指示に含まれる領域情報に基づき、図２０の左欄の太実線部に示す描画領域ＧＡと、図２０の左欄の白塗部に示す三個の余白領域ＢＢ、ＢＲ、ＢＢＲを把握する。そして、第一判定部３２は、二個の余白領域ＢＲ、ＢＢＲの面積の総和である第一面積ＢＳ１が第一閾値Ｔ１よりも大きいか否かを判定する。
【０２４８】
第一閾値Ｔ１は、図１６を用いて上述したように、二個の余白領域ＢＲ、ＢＢＲが用紙の幅ｗの０．３倍の幅を有する（図２０の左欄の破線部）と仮定した場合の、当該二個の余白領域ＢＲ、ＢＢＲの面積の総和に定められている。本具体例では、図２０の左欄の白塗部に示すように、二個の余白領域ＢＲ、ＢＢＲの面積の総和は、第一閾値Ｔ１に相当する図２０の左欄の破線部の面積以下になっている。したがって、本具体例では、第一判定部３２は、ステップＳＴ４において、第一面積ＢＳ１が第一閾値Ｔ１以下であると判定する。
【０２４９】
一方、第二判定部３３は、二個の余白領域ＢＢ、ＢＢＲの面積の総和である第二面積ＢＳ２が第二閾値Ｔ２よりも大きいか否かを判定する。
【０２５０】
第二閾値Ｔ２は、図１６を用いて上述したように、二個の余白領域ＢＢ、ＢＢＲが用紙の高さｈの０．３倍の高さを有する（図６の左欄の一点鎖線部）と仮定した場合の、当該二個の余白領域ＢＢ、ＢＢＲの面積の総和に定められている。本具体例では、図２０の左欄の白塗部に示すように、二個の余白領域ＢＢ、ＢＢＲの面積の総和は、第二閾値Ｔ２に相当する図２０の左欄の一点鎖線部の面積以下になっている。したがって、本具体例では、第二判定部３３は、ステップＳＴ４において、第二面積ＢＳ２が第二閾値Ｔ２以下であると判定する。
【０２５１】
このように、第一判定部３２により第一面積ＢＳ１が第一閾値Ｔ１以下であると判定され、且つ、第二判定部３３により第二面積ＢＳ２が第二閾値Ｔ２以下であると判定された場合（ＳＴ５；ＮＯ）、調整印刷部３４は、受付ジョブをそのまま実行する（ＳＴ１１）。具体的には、調整印刷部３４は、ステップＳＴ１１において、図２０の右欄に示すように、画像形成部２２を制御して、受付ジョブの実行指示通り、描画領域ＧＡに画像Ｇを形成させる。
【０２５２】
図１７に参照を戻す。ステップＳＴ６で表示部２３１に表示された第一操作画面Ｍ１において、中止ボタンＦ１２が押下され、受付部３１によってジョブ中止指示が受け付けられたとする（ＳＴ７；ＹＥＳ）。この場合、調整印刷部３４は、ステップＳＴ１で受け付けられた受付ジョブの実行を中止し、処理を終了する。
【０２５３】
一方、第一操作画面Ｍ１において中止ボタンＦ１２が押下されず（ＳＴ７；ＮＯ）、四個のラジオボタンＣ１１〜Ｃ１４の中から、何れか一のラジオボタンが選択された後（ＳＴ８）、ＯＫボタンＦ１１が押下されたとする（ＳＴ９；ＹＥＳ）。この場合、受付部３１は、ステップＳＴ８で選択された一のラジオボタンが示す指示を受け付ける。
【０２５４】
例えば、ステップＳＴ８においてラジオボタンＣ１１が選択され、受付部３１が、受付ジョブをそのまま実行させる優先指示を受け付けた場合（ＳＴ１０；ＹＥＳ）、調整印刷部３４は、受付ジョブをそのまま実行する（ＳＴ１１）。一方、ステップＳＴ８においてラジオボタンＣ１２〜Ｃ１４の何れか一のラジオボタンが選択され、受付部３１が、当該一のラジオボタンが示す選択指示を受け付けたとする（ＳＴ１０；ＮＯ）。この場合、調整印刷部３４は、当該受け付けられた選択指示が示す第一調整印刷処理又は第二調整印刷処理を実行する（ＳＴ１２）。
【０２５５】
以下、ステップＳＴ１１、ステップＳＴ１２の詳細について、図１８を用いて上述した具体例を用いて説明する。
【０２５６】
調整印刷部３４は、受付ジョブをそのまま実行する場合（ＳＴ１１）、図１８の第二列欄に示すように、画像形成部２２を制御して、受付ジョブの実行指示通り、描画領域ＧＡ（太実線部）に画像Ｇ（黒塗部）を形成させる。
【０２５７】
受付部３１が、ラジオボタンＣ１３が示す選択指示を受け付けた場合（ＳＴ１０；ＮＯ）、調整印刷部３４は、当該選択指示が示す第一調整印刷処理を実行する（ＳＴ１２）。
【０２５８】
具体的には、図１８の第三列欄に示すように、調整印刷部３４は、第一調整印刷処理において、第一面積ＢＳ１が０になるように、つまり、図１８の第一列欄の白塗部に示す、描画領域ＧＡよりも右方向に存在する二個の余白領域ＢＲ、ＢＢＲが存在しなくなるように、上下方向及び左右方向共に同じ比率で拡大した拡大画像Ｇ１（図１８の第三列欄の黒塗部）を生成する。尚、図１８の第三列欄の一点鎖線部は、受付ジョブの実行指示に含まれる領域情報が示す描画領域ＧＡを示している。
【０２５９】
そして、調整印刷部３４は、画像形成部２２を制御して、当該生成した拡大画像Ｇ１を二枚の用紙に形成させる。この場合、具体的には、調整印刷部３４は、受付ジョブの実行指示に含まれる用紙サイズ情報に基づき、拡大画像Ｇ１を用紙と同じ大きさの画像Ｇ１ａと、他の画像Ｇ１ｂとに分割する。そして、調整印刷部３４は、画像形成部２２を制御して、当該分割後の各画像Ｇ１ａ、Ｇ２ａを各用紙に形成させる。
【０２６０】
受付部３１がラジオボタンＣ１４が示す選択指示を受け付けた場合（ＳＴ１０；ＮＯ）、調整印刷部３４は、当該選択指示が示す第二調整印刷処理を実行する（ＳＴ１２）。また、上述のように、本具体例では、ラジオボタンＣ１２が示す選択指示は、第二調整印刷処理を選択する選択指示になっている。このため、本具体例では、受付部３１がラジオボタンＣ１２が示す選択指示を受け付けた場合も（ＳＴ１０；ＮＯ）、調整印刷部３４は、当該選択指示が示す第二調整印刷処理を実行する（ＳＴ１２）。
【０２６１】
この場合、図１８の第四列欄に示すように、調整印刷部３４は、第二調整印刷処理において、第二面積ＢＳ２が０になるように、つまり、図１８の第一列欄の白塗部に示す、描画領域ＧＡよりも下方向に存在する二個の余白領域ＢＢ、ＢＢＲが存在しなくなるように、上下方向及び左右方向共に同じ比率で拡大した拡大画像Ｇ２（図１８の第四列欄の黒塗部）を生成する。尚、図１８の第四列欄の一点鎖線部は、受付ジョブの実行指示に含まれる領域情報が示す描画領域ＧＡを示している。
【０２６２】
そして、調整印刷部３４は、画像形成部２２を制御して、当該生成した拡大画像Ｇ２を一枚の用紙に形成させる。
【０２６３】
図１７に参照を戻す。第一操作画面Ｍ１において四個のラジオボタンＣ１１〜Ｃ１４の中から、何れか一のラジオボタンが選択された後（ＳＴ８）、ＯＫボタンＦ１１が押下されず（ＳＴ９；ＮＯ）、プレビューボタンＦ１３が押下されたとする（ＳＴ１３；ＹＥＳ）。これにより、受付部３１が、ステップＳＴ８で選択された一のラジオボタンが示す指示及びプレビューの実行指示を受け付けると、調整印刷部３４は、プレビュー画面を表示部２３１に表示する（ＳＴ１４）。
【０２６４】
以下、ステップＳＴ１４の詳細について、図１８を用いて上述した具体例及び図２１Ａ〜図２１Ｄを用いて説明する。図２１Ａは、受付ジョブをそのまま実行する優先指示及びプレビューの実行指示が受け付けられた場合に表示されるプレビュー画面を示す図である。図２１Ｂは、ラジオボタンＣ１２が示す選択指示及びプレビューの実行指示が受け付けられた場合に表示されるプレビュー画面を示す図である。図２１Ｃは、ラジオボタンＣ１３が示す選択指示及びプレビューの実行指示が受け付けられた場合に表示されるプレビュー画面を示す図である。図２１Ｄは、ラジオボタンＣ１４が示す選択指示及びプレビューの実行指示が受け付けられた場合に表示されるプレビュー画面を示す図である。
【０２６５】
ステップＳＴ８においてラジオボタンＣ１１が選択された後、ステップＳＴ１３でプレビューボタンＦ１３が押下され、受付部３１が、受付ジョブをそのまま実行させる優先指示及びプレビューの実行指示を受け付けたとする。この場合、調整印刷部３４は、ステップＳＴ１４において、図２１Ａに示すように、プレビュー画像ＰＧ１１と、閉じるボタンＦＣと、を含むプレビュー画面ＭＰを表示部２３１に表示する。プレビュー画像ＰＧ１１は、受付ジョブをそのまま実行したときに得られる一枚の用紙を表す画像（図１８の第二列欄の図に類する画像）である。
【０２６６】
ステップＳＴ８においてラジオボタンＣ１２が選択された後、ステップＳＴ１３でプレビューボタンＦ１３が押下され、受付部３１が、第二調整印刷処理を選択する選択指示及びプレビューの実行指示を受け付けたとする。この場合、調整印刷部３４は、ステップＳＴ１４において、図２１Ｂに示すように、プレビュー画像ＰＧ１２と、閉じるボタンＦＣと、を含むプレビュー画面ＭＰを表示部２３１に表示する。
【０２６７】
プレビュー画像ＰＧ１２は、ステップＳＴ１２においてラジオボタンＣ１２が示す第二調整印刷処理を実行した場合に得られる用紙を表す画像（図１８の第四列欄の図に類する画像）である。尚、プレビュー画像ＰＧ１２には、受付ジョブをそのまま実行したときに得られる用紙における描画領域ＧＡを点線で表す変更前画像が含まれている。これにより、ユーザーは、受付ジョブをそのまま実行したときとの差異を容易に視認することができる。ただし、プレビュー画像ＰＧ１２に、当該変更前画像を含めないようにしてもよい。
【０２６８】
同様に、ステップＳＴ８においてラジオボタンＣ１３が選択された後、ステップＳＴ１３でプレビューボタンＦ１３が押下され、受付部３１が、第一調整印刷処理を選択する選択指示及びプレビューの実行指示を受け付けたとする。この場合、調整印刷部３４は、ステップＳＴ１４において、図２１Ｃに示すように、プレビュー画像ＰＧ１３と、閉じるボタンＦＣと、を含むプレビュー画面ＭＰを表示部２３１に表示する。
【０２６９】
プレビュー画像ＰＧ１３は、ステップＳＴ１２においてラジオボタンＣ１３が示す第一調整印刷処理を実行した場合に得られる用紙を表す画像（図１８の第三列欄の図に類する画像）である。
【０２７０】
調整印刷部３４は、調整印刷処理を実行した場合に複数枚の用紙が得られるときは、プレビュー画像ＰＧ１３のように、当該調整印刷処理を実行した場合に得られる各用紙を左右方向に並べた画像をプレビュー画像として表示する。尚、これに限らず、調整印刷部３４は、調整印刷処理を実行した場合に複数枚の用紙が得られるときに、当該調整印刷処理を実行した場合に得られる各用紙を上下方向に並べた画像をプレビュー画像として表示してもよい。
【０２７１】
プレビュー画像ＰＧ１３にも、上記変更前画像が含まれている。ただし、プレビュー画像ＰＧ１３に、当該変更前画像を含めないようにしてもよい。
【０２７２】
また、ステップＳＴ８においてラジオボタンＣ１４が選択された後、ステップＳＴ１３でプレビューボタンＦ１３が押下され、受付部３１が、第二調整印刷処理を選択する選択指示及びプレビューの実行指示を受け付けたとする。この場合、調整印刷部３４は、ステップＳＴ１４において、図２１Ｄに示すように、プレビュー画像ＰＧ１４と、閉じるボタンＦＣと、を含むプレビュー画面ＭＰを表示部２３１に表示する。
【０２７３】
プレビュー画像ＰＧ１４は、ステップＳＴ１２においてラジオボタンＣ１４が示す第二調整印刷処理を実行した場合に得られる用紙を表す画像（図１８の第四列欄の図に類する画像）である。本具体例では、ステップＳＴ８においてラジオボタンＣ１２が選択された場合も、ステップＳＴ１２において第二調整印刷処理が実行されるので、プレビュー画像ＰＧ１４は、プレビュー画像ＰＧ１２と同じ画像になる。
【０２７４】
閉じるボタンＦＣは、プレビュー画面ＭＰを非表示にする非表示指示を入力するために設けられている。つまり、閉じるボタンＦＣが押下されると、受付部３１によって非表示指示が受け付けられる。受付部３１によって非表示指示が受け付けられると、調整印刷部３４は、プレビュー画面ＭＰを非表示にし、処理をステップＳＴ７（図１７）に戻す。
【０２７５】
以下では、図２２及び図２３を用いて、ステップＳＴ４において、第一判定部３２により第一面積ＢＳ１が第一閾値Ｔ１以下であると判定され、且つ、第二判定部３３により第二面積ＢＳ２が第二閾値Ｔ２よりも大きいと判定された場合（ＳＴ５；ＹＥＳ）、及び、ステップＳＴ４において、第一判定部３２により第一面積ＢＳ１が第一閾値Ｔ１よりも大きいと判定され、且つ、第二判定部３３により第二面積ＢＳ２が第二閾値Ｔ２以下であると判定された場合（ＳＴ５；ＹＥＳ）における図１７に示す動作の具体例について説明する。
【０２７６】
図２２は、第一判定部３２により第一面積ＢＳ１が第一閾値Ｔ１以下であると判定され、且つ、第二判定部３３により第二面積ＢＳ２が第二閾値Ｔ２よりも大きいと判定された場合における図１７に示す動作の具体例を示す図である。図２３は、第一判定部３２により第一面積ＢＳ１が第一閾値Ｔ１よりも大きいと判定され、且つ、第二判定部３３により第二面積ＢＳ２が第二閾値Ｔ２以下であると判定された場合における図１７に示す動作の具体例を示す図である。
【０２７７】
図２２の第一列欄に示すように、受付ジョブが一枚の用紙に画像Ｇ（黒塗部）を形成する印刷ジョブであるとする。また、受付ジョブの実行指示には、画像Ｇが形成される描画領域ＧＡ（太実線部）と、図２２の第一列欄の白塗部に示すように、三個の余白領域ＢＢ、ＢＲ、ＢＢＲとを示す領域情報が含まれているとする。また、余白領域ＢＲの面積と余白領域ＢＢＲの面積の和が、余白領域ＢＢの面積と余白領域ＢＢＲの面積の和よりも小さいものとする。
【０２７８】
この場合、ステップＳＴ４において、第一判定部３２及び第二判定部３３は、受付ジョブの実行指示に含まれる領域情報に基づき、図２２の第一列欄の太実線部に示す描画領域ＧＡと、図２２の第一列欄の白塗部に示す三個の余白領域ＢＢ、ＢＲ、ＢＢＲを把握する。
【０２７９】
本具体例では、図２２の第一列欄の白塗部に示すように、二個の余白領域ＢＲ、ＢＢＲの面積の総和は、第一閾値Ｔ１に相当する図２２の第一列欄の破線部の面積以下になっている。したがって、本具体例では、第一判定部３２は、ステップＳＴ４において、第一面積ＢＳ１が第一閾値Ｔ１以下であると判定する。一方、本具体例では、図２２の第一列欄の白塗部に示すように、二個の余白領域ＢＢ、ＢＢＲの面積の総和は、第二閾値Ｔ２に相当する図２２の第一列欄の一点鎖線部の面積よりも大きくなっている。したがって、本具体例では、第二判定部３３は、ステップＳＴ４において、第二面積ＢＳ２が第二閾値Ｔ２よりも大きいと判定する。
【０２８０】
このように、第一判定部３２により第一面積ＢＳ１が第一閾値Ｔ１以下であると判定された場合であっても、第二判定部３３により第二面積ＢＳ２が第二閾値Ｔ２よりも大きいと判定された場合は（ＳＴ５；ＹＥＳ）、ステップＳＴ６が実行される。
【０２８１】
本具体例では、二個の余白領域ＢＲ、ＢＢＲの面積の総和が二個の余白領域ＢＢ、ＢＢＲの面積の総和よりも小さくなっている。つまり、第一面積ＢＳ１が、第二面積ＢＳ２よりも小さくなっている。このため、当該ステップＳＴ６において表示された第一操作画面Ｍ１のラジオボタンＣ１２が示す選択指示は、第一調整印刷処理を選択する選択指示となる。
【０２８２】
ステップＳＴ８においてラジオボタンＣ１１が選択され、受付部３１が、受付ジョブをそのまま実行させる優先指示を受け付けた場合（ＳＴ１０；ＹＥＳ）、調整印刷部３４は、受付ジョブをそのまま実行する（ＳＴ１１）。具体的には、図２２の第二列欄に示すように、調整印刷部３４は、画像形成部２２を制御して、受付ジョブの実行指示通り、描画領域ＧＡ（太実線部）に画像Ｇ（黒塗部）を形成させる。
【０２８３】
ステップＳＴ８において、ラジオボタンＣ１２又はラジオボタンＣ１３が選択され、受付部３１が、ラジオボタンＣ１２及びラジオボタンＣ１３が示す第一調整印刷処理を選択する選択指示を受け付けたとする（ＳＴ１０；ＮＯ）。この場合、調整印刷部３４は、第一調整印刷処理を実行する（ＳＴ１２）。
【０２８４】
具体的には、図２２の第三列欄に示すように、調整印刷部３４は、当該ステップＳＴ１２において、第一面積ＢＳ１が０になるように、つまり、図２２の第一列欄の白塗部に示す、描画領域ＧＡよりも右方向に存在する二個の余白領域ＢＲ、ＢＢＲが存在しなくなるように、上下方向及び左右方向共に同じ比率で拡大した拡大画像Ｇ１（図２２の第三列欄の黒塗部）を生成する。そして、調整印刷部３４は、画像形成部２２を制御して、当該生成した拡大画像Ｇ１を一枚の用紙に形成させる。
【０２８５】
ステップＳＴ８において、ラジオボタンＣ１４が選択され、受付部３１が、ラジオボタンＣ１４が示す第二調整印刷処理を選択する選択指示を受け付けたとする（ＳＴ１０；ＮＯ）。この場合、調整印刷部３４は、第二調整印刷処理を実行する（ＳＴ１２）。
【０２８６】
具体的には、図２２の第四列欄に示すように、調整印刷部３４は、当該ステップＳＴ１２において、第二面積ＢＳ２が０になるように、つまり、図２２の第一列欄の白塗部に示す、描画領域ＧＡよりも下方向に存在する二個の余白領域ＢＢ、ＢＢＲが存在しなくなるように、上下方向及び左右方向共に同じ比率で拡大した拡大画像Ｇ２（図２２の第四列欄の黒塗部）を生成する。そして、調整印刷部３４は、画像形成部２２を制御して、当該生成した拡大画像Ｇ２を用紙サイズ毎に分割した各画像Ｇ２ａ、Ｇ２ｂを、それぞれ一枚の用紙に形成させる。
【０２８７】
一方、図２３の第一列欄に示すように、受付ジョブが一枚の用紙に画像Ｇ（黒塗部）を形成する印刷ジョブであるとする。また、受付ジョブの実行指示には、画像Ｇが形成される描画領域ＧＡ（太実線部）と、図２３の第一列欄の白塗部に示すように、三個の余白領域ＢＢ、ＢＲ、ＢＢＲとを示す領域情報が含まれているとする。また、余白領域ＢＢの面積と余白領域ＢＢＲの面積の和が、余白領域ＢＲの面積と余白領域ＢＢＲの面積の和よりも小さいものとする。
【０２８８】
この場合、ステップＳＴ４において、第一判定部３２及び第二判定部３３は、受付ジョブの実行指示に含まれる領域情報に基づき、図２３の第一列欄の太実線部に示す描画領域ＧＡと、図２３の第一列欄の白塗部に示す三個の余白領域ＢＢ、ＢＲ、ＢＢＲを把握する。
【０２８９】
本具体例では、図２３の第一列欄の白塗部に示すように、二個の余白領域ＢＲ、ＢＢＲの面積の総和は、第一閾値Ｔ１に相当する図２３の第一列欄の破線部の面積よりも大きくなっている。したがって、本具体例では、第一判定部３２は、ステップＳＴ４において、第一面積ＢＳ１が第一閾値Ｔ１よりも大きいと判定する。一方、本具体例では、図２３の第一列欄の白塗部に示すように、二個の余白領域ＢＢ、ＢＢＲの面積の総和は、第二閾値Ｔ２に相当する図２３の第一列欄の一点鎖線部の面積以下になっている。したがって、本具体例では、第二判定部３３は、ステップＳＴ４において、第二面積ＢＳ２が第二閾値Ｔ２以下であると判定する。
【０２９０】
このように、第一判定部３２により第一面積ＢＳ１が第一閾値Ｔ１よりも大きいと判定された場合、第二判定部３３により第二面積ＢＳ２が第二閾値Ｔ２以下であると判定された場合であっても（ＳＴ５；ＹＥＳ）、ステップＳＴ６が実行される。
【０２９１】
本具体例では、二個の余白領域ＢＢ、ＢＢＲの面積の総和が二個の余白領域ＢＲ、ＢＢＲの面積の総和よりも小さくなっている。つまり、第二面積ＢＳ２が、第一面積ＢＳ１よりも小さくなっている。このため、当該ステップＳＴ６において表示された第一操作画面Ｍ１のラジオボタンＣ１２が示す選択指示は、第二調整印刷処理を選択する選択指示となる。
【０２９２】
ステップＳＴ８においてラジオボタンＣ１１が選択され、受付部３１が、受付ジョブをそのまま実行させる優先指示を受け付けた場合（ＳＴ１０；ＹＥＳ）、調整印刷部３４は、受付ジョブをそのまま実行する（ＳＴ１１）。具体的には、図２３の第二列欄に示すように、調整印刷部３４は、画像形成部２２を制御して、受付ジョブの実行指示通り、描画領域ＧＡ（太実線部）に画像Ｇ（黒塗部）を形成させる。
【０２９３】
ステップＳＴ８において、ラジオボタンＣ１３が選択され、受付部３１が、ラジオボタンＣ１３が示す第一調整印刷処理を選択する選択指示を受け付けたとする（ＳＴ１０；ＮＯ）。この場合、調整印刷部３４は、第一調整印刷処理を実行する（ＳＴ１２）。
【０２９４】
具体的には、図２３の第三列欄に示すように、調整印刷部３４は、当該ステップＳＴ１２において、第一面積ＢＳ１が０になるように、つまり、図２３の第一列欄の白塗部に示す、描画領域ＧＡよりも右方向に存在する二個の余白領域ＢＲ、ＢＢＲが存在しなくなるように、上下方向及び左右方向共に同じ比率で拡大した拡大画像Ｇ１（図２３の第三列欄の黒塗部）を生成する。そして、調整印刷部３４は、画像形成部２２を制御して、当該生成した拡大画像Ｇ１を用紙サイズ毎に分割した各画像Ｇ１ａ、Ｇ１ｂを、それぞれ一枚の用紙に形成させる。
【０２９５】
ステップＳＴ８において、ラジオボタンＣ１２又はラジオボタンＣ１４が選択され、受付部３１が、ラジオボタンＣ１２及びラジオボタンＣ１４が示す第二調整印刷処理を選択する選択指示を受け付けたとする（ＳＴ１０；ＮＯ）。この場合、調整印刷部３４は、第二調整印刷処理を実行する（ＳＴ１２）。
【０２９６】
具体的には、図２３の第四列欄に示すように、調整印刷部３４は、当該ステップＳＴ１２において、第二面積ＢＳ２が０になるように、つまり、図２３の第一列欄の白塗部に示す、描画領域ＧＡよりも下方向に存在する二個の余白領域ＢＢ、ＢＢＲが存在しなくなるように、上下方向及び左右方向共に同じ比率で拡大した拡大画像Ｇ２（図２３の第四列欄の黒塗部）を生成する。そして、調整印刷部３４は、画像形成部２２を制御して、当該生成した拡大画像Ｇ２を一枚の用紙に形成させる。
【０２９７】
第二実施形態の構成によれば、以下に示す効果が得られる。
【０２９８】
ユーザーは、画像の編集中に、当該画像の印刷結果をプレビューしようとして、編集中の画像の大きさに応じた印刷範囲を印刷条件として設定することがある。その後、ユーザーは、編集後の画像の大きさが編集中よりも小さくなっているにも関わらず、印刷条件を設定し直さないまま印刷ジョブの実行指示を生成する場合がある。
【０２９９】
このような実行指示に基づき印刷ジョブが実行された場合、ユーザーが意図していたよりも小さく画像が形成された余白の多い用紙が出力され、ユーザーの意図しないレイアウトで画像が形成された用紙が出力される虞がある。この場合、ユーザーは、画像を視認し難いことに不便さを感じ、印刷ジョブの実行指示を生成し直すことがある。その結果、ユーザーは、再び印刷ジョブの実行指示を生成し直す手間をかけることに煩わしさを感じる虞がある。
【０３００】
しかし、第二実施形態の構成によれば、受付ジョブの実行指示に含まれる領域情報に基づき、受付ジョブの実行により得られる描画領域ＧＡよりも右方向に存在する余白領域ＢＲ、ＢＢＲの第一面積ＢＳ１が第一閾値Ｔ１よりも大きいか否かを判定し、また、描画領域ＧＡよりも下方向に存在する余白領域ＢＢ、ＢＢＲの第二面積ＢＳ２が第二閾値Ｔ２よりも大きいか否かを判定する（ＳＴ４）。そして、第一面積ＢＳ１が第一閾値Ｔ１より大きいと判定した場合、又は、第二面積ＢＳ２が第二閾値Ｔ２より大きいと判定した場合には（ＳＴ５；ＹＥＳ）、調整印刷処理を実行する（ＳＴ１２）。
【０３０１】
そして、ステップＳＴ１２において、第一調整印刷処理を実行することにより、本来形成する対象の画像Ｇを第一面積ＢＳ１が０になるように拡大した拡大画像Ｇ１を、用紙に形成することができる。また、ステップＳＴ１２において、第二調整印刷処理を実行することにより、本来形成する対象の画像Ｇを第二面積ＢＳ２が０になるように拡大した拡大画像Ｇ２を、用紙に形成することができる。
【０３０２】
これにより、上記のように、印刷条件が適切に設定されていない受付ジョブの実行指示が受け付けられた場合に、ユーザーは、印刷ジョブの実行指示を生成し直す手間をかけることなく、左右方向又は上下方向に余白領域がないように画像が大きく形成された、画像の視認がしやすい用紙を得ることができる。
【０３０３】
このように、第二実施形態の構成によれば、ユーザーが意図していない余白の多いレイアウトで画像が形成された用紙が出力される虞を低減することができる。また、印刷ジョブの実行指示を生成し直す手間を省いてユーザーの利便性を向上することができる。
【０３０４】
また、調整印刷部３４は、第一操作画面Ｍ１において、受付ジョブをそのまま実行させる優先指示が入力された場合（ＳＴ１０；ＹＥＳ）、受付ジョブをそのまま実行し、第一調整印刷処理又は第二調整印刷処理を選択する選択指示が入力された場合（ＳＴ１０；ＮＯ）、当該選択指示が示す第一調整印刷処理又は第二調整印刷処理を実行する（ＳＴ１２）。
【０３０５】
つまり、ユーザーは、第一操作画面Ｍ１において入力操作を行うことによって、受付ジョブをそのまま実行させる（ＳＴ１１）か、意図した調整印刷処理を実行させる（ＳＴ１２）かを、意図に応じて切り替えることができる。これにより、ユーザーの意図しないレイアウトで画像が形成された用紙が出力される虞を更に低減することができる。
【０３０６】
また、第一操作画面Ｍ１において入力可能な選択指示には、受付ジョブによる形成対象の画像Ｇを第一面積ＢＳ１及び第二面積ＢＳ２のうち小さい方の面積が小さくなるように拡大する調整印刷処理を選択する選択指示（ラジオボタンＣ１２が示す選択指示）が含まれている。
【０３０７】
このため、ユーザーは、当該選択指示を入力することにより、第一調整印刷処理及び第二印刷処理のうち何れの調整印刷処理を選択するかを考えた後、第一操作画面Ｍ１において第一調整印刷処理又は第二調整印刷処理を選択する選択指示を個別に入力する手間をかけることなく、迅速に調整印刷処理を実行させることができる。
【０３０８】
また、当該調整印刷処理の実行により、第一面積ＢＳ１及び第二面積ＢＳ２のうち、小さい方の面積を小さくするように拡大した拡大画像Ｇ１、Ｇ２を用紙に形成する。このため、第一面積ＢＳ１及び第二面積ＢＳ２のうち、大きい方の面積を小さくするように画像を拡大する調整印刷処理を実行する場合に比して、用紙に形成する画像Ｇの大きさが小さくなる。これにより、第一面積ＢＳ１及び第二面積ＢＳ２のうち、大きい方の面積を小さくするように画像を拡大する調整印刷処理を実行する場合に比して、調整印刷処理の実行により得られる用紙が複数枚になる虞を低減することができる。その結果、調整印刷処理の実行により得られる用紙が複数枚になることによって、用紙に形成された画像が視認しにくくなる虞を低減することができる。
【０３０９】
また、第一操作画面Ｍ１においてプレビューボタンＦ１３（図１９）が押下されたとする（ＳＴ１３；ＹＥＳ）。この場合、プレビューボタンＦ１３の押下時に選択されていたラジオボタンＣ１１〜Ｃ１４が示す指示に応じて、受付ジョブが実行された場合に得られる一枚の用紙を表すプレビュー画像ＰＧ１１、又は、第一調整印刷処理若しくは第二調整印刷処理が実行された場合に得られる用紙を表すプレビュー画像ＰＧ１２〜ＰＧ１４を含むプレビュー画面ＭＰ（図２１Ａ〜図２１Ｄ）が、表示部２３１に表示される。
【０３１０】
これにより、ユーザーは、第一操作画面Ｍ１において選択したラジオボタンＣ１１〜Ｃ１４が示す指示に応じて、受付ジョブをそのまま実行させる（ＳＴ１１）、又は、第一調整印刷処理若しくは第二調整印刷処理を実行させる（ＳＴ１２）事前に、当該実行により得られる用紙を表す画像を視認することができる。その結果、ユーザーの意図しないレイアウトで画像が形成された用紙が出力される虞を更に低減することができる。
【０３１１】
また、調整印刷部３４は、第一実施形態の調整印刷部１５と同様、受付ジョブの実行指示に、当該実行指示が所定の表計算ソフトウェアにより生成されたことを示す情報が含まれていない場合（ＳＴ２；ＮＯ）、受付ジョブをそのまま実行する（ＳＴ１１）。
【０３１２】
これにより、第一実施形態と同様に、受付ジョブの実行指示に当該実行指示が所定の表計算ソフトウェアにより生成されたことを示す情報が含まれていない場合には、ユーザーの意図しないレイアウトで画像が形成された用紙が出力される可能性が低いことを加味して、迅速に受付ジョブを実行することができる。
【０３１３】
尚、第二実施形態は、本発明に係る実施形態の例示に過ぎない。例えば、以下に示す、変形実施形態であってもよい。
【０３１４】
（１）ステップＳＴ２を省略してもよい。
【０３１５】
（２）第一操作画面Ｍ１にプレビューボタンＦ１３を含めないようにし、これに合わせてステップＳＴ１３、ＳＴ１４を省略してもよい。
【０３１６】
（３）制御部３０が表示制御部３５として動作しないようにして、ステップＳＴ６〜ＳＴ１０、ＳＴ１３、ＳＴ１４を省略してもよい。これに合わせて、ステップＳＴ４において、第一判定部３２によって第一面積ＢＳ１が第一閾値Ｔ１よりも大きいと判定された場合、又は、第二判定部３３によって第二面積ＢＳ２が第二閾値Ｔ２よりも大きいと判定された場合に（ＳＴ５；ＹＥＳ）、調整印刷部３４がステップＳＴ１２を実行するようにしてもよい。
【０３１７】
この場合、調整印刷部３４は、当該ステップＳＴ１２の調整印刷処理において、例えば受付部３１によってラジオボタンＣ１２が示す選択指示が受け付けられたときと同様に、第一面積ＢＳ１及び第二面積ＢＳ２のうち小さい方の面積が小さくなるように画像Ｇを拡大する調整印刷処理を実行する。
【０３１８】
又は、不揮発性メモリーに、第一調整印刷処理及び第二調整印刷処理のうち、ステップＳＴ１２において実行すべき一の調整印刷処理を示す実行処理情報を予め記憶しておいてもよい。これに合わせて、調整印刷部３４は、当該ステップＳＴ１２の調整印刷処理において、不揮発メモリーに記憶された上記実行処理情報が示す、第一調整印刷処理又は第二調整印刷処理を実行するようにしてもよい。
【０３１９】
（４）図１５の破線部に示すように、制御部３０が、更に、調整切替部３６として動作するようにしてもよい。図２４は、第二操作画面Ｍ２の一例を示す図である。調整切替部３６は、プリンター３の初期設定を行う場合等、受付部３１が印刷ジョブを受け付けていない所定のタイミングで、例えば図２４に示すように、自動調整指示又は手動調整指示が入力可能な第二操作画面Ｍ２を表示部２３１に表示する。
【０３２０】
第二操作画面Ｍ２には、二個のラジオボタンＣ２１、Ｃ２２と、ＯＫボタンＦ２１と、閉じるボタンＦ２２と、が含まれる。
【０３２１】
二個のラジオボタンＣ２１、Ｃ２２は、何れか一のラジオボタンだけを選択可能になっている。ラジオボタンＣ２１は、手動調整指示を入力するために設けられている。ラジオボタンＣ２２は、自動調整指示を入力するために設けられている。
【０３２２】
ＯＫボタンＦ２１は、ユーザーにより選択された一のラジオボタンＣ２１、Ｃ２２が示す指示の入力を確定するために設けられている。つまり、ユーザーによって、ラジオボタンＣ２１、Ｃ２２のうち、何れか一のラジオボタンが選択された後、ＯＫボタンＦ１１が押下されたとする。この場合、当該選択された一のラジオボタンが示す指示の入力が確定され、受付部３１によって当該指示が受け付けられる。
【０３２３】
例えば、ラジオボタンＣ２１が選択された後、ＯＫボタンＦ２１が押下されたとする。この場合、受付部３１によって、ラジオボタンＣ２１が示す、手動調整指示が受け付けられる。また、ラジオボタンＣ２２が選択された後、ＯＫボタンＦ２１が押下されたとする。この場合、受付部３１によって、ラジオボタンＣ２２が示す、自動調整指示が受け付けられる。
【０３２４】
調整切替部３６は、第二操作画面Ｍ２においてラジオボタンＣ２２が選択され、受付部３１により、自動調整指示が受け付けられた場合、第二実施形態の（３）の変形実施形態と同様に、ステップＳＴ６〜ＳＴ１０、ＳＴ１３、ＳＴ１４を省略する。
【０３２５】
そして、調整切替部３６は、ステップＳＴ４において、第一判定部３２によって第一面積ＢＳ１が第一閾値Ｔ１よりも大きいと判定された場合又は第二判定部３３によって第二面積ＢＳ２が第二閾値Ｔ２よりも大きいと判定された場合に（ＳＴ５；ＹＥＳ）、第二実施形態の（３）の変形実施形態と同様に、調整印刷部３４に第一調整印刷処理又は第二調整印刷処理を実行させる（ＳＴ１２）。
【０３２６】
調整切替部３６は、第二操作画面Ｍ２においてラジオボタンＣ２１が選択され、受付部３１により、手動調整指示が受け付けられた場合は、図１７に示す通りの動作を行わせる。つまり、調整切替部３６は、手動調整指示が受け付けられた場合は、ステップＳＴ１２における調整印刷部３４による調整印刷処理の実行前に、ステップＳＴ６において、表示制御部３５に第一操作画面Ｍ１を表示させる。
【０３２７】
第二実施形態の（４）の変形実施形態の構成によれば、自動的に調整印刷処理を実行させて、受付ジョブの実行指示に応じた印刷処理を迅速に実行できるようにするか、又は、第一操作画面Ｍ１を表示し、受付ジョブをそのまま実行させるか、第一調整印刷処理を実行させるか、若しくは、第二調整印刷処理を実行させるかの指示をユーザーに入力させて、ユーザーの意図に適した印刷処理を実行できるようにするかを、第二操作画面Ｍ２を用いてユーザーに切り替えさせることができる。
【０３２８】
（５）第二実施形態において説明した、第一閾値Ｔ１及び第二閾値Ｔ２は、本発明に係る実施形態の例示に過ぎない。例えば、第一閾値Ｔ１及び第二閾値Ｔ２を、それぞれ、一枚の用紙の面積に比して十分に小さいと考えられる所定の面積（例えば当該配列した用紙の総面積の５パーセントの面積等）に定めてもよい。
【０３２９】
（６）第二実施形態では、描画領域ＧＡが用紙の左上隅に存在し、第一面積ＢＳ１が描画領域ＧＡよりも右方向に存在する余白領域の面積（余白領域ＢＲ、ＢＢＲの面積の総和）であり、第二面積ＢＳ２が描画領域ＧＡよりも下方向に存在する余白領域の面積（余白領域ＢＢ、ＢＢＲの面積の総和）であるものとして、図１７に示す動作の具体例を説明した。
【０３３０】
しかし、これに限らず、描画領域ＧＡが用紙の右上隅に存在する場合に、第一面積ＢＳ１を描画領域ＧＡよりも左方向に存在する余白領域の面積とし、第二面積ＢＳ２を描画領域ＧＡよりも下方向に存在する余白領域の面積として、図１７に示す動作を行うようにしてもよい。同様に、描画領域ＧＡが用紙の左下隅に存在する場合には、第一面積ＢＳ１を描画領域ＧＡよりも右方向に存在する余白領域の面積とし、第二面積ＢＳ２を描画領域ＧＡよりも上方向に存在する余白領域の面積として、図１７に示す動作を行うようにしてもよい。また、描画領域ＧＡが用紙の右下隅に存在する場合には、第一面積ＢＳ１を描画領域ＧＡよりも左方向に存在する余白領域の面積とし、第二面積ＢＳ２を描画領域ＧＡよりも上方向に存在する余白領域の面積として、図１７に示す動作を行うようにしてもよい。
【０３３１】
（７）第二実施形態では、ステップＳＴ１２において第一調整印刷処理を行う場合、受付ジョブによる形成対象の画像Ｇを、第一面積ＢＳ１が０になるように拡大し、ステップＳＴ１２において第二調整印刷処理を行う場合、受付ジョブによる形成対象の画像Ｇを、第二面積ＢＳ２が０になるように拡大していた。
【０３３２】
しかし、これに限らず、第一調整印刷処理を行う場合に、受付ジョブによる形成対象の画像Ｇを、第一面積ＢＳ１が０よりも大きい所定の値（以下、第一所定値と記載する）となるように拡大してもよい。第一所定値は、例えば、第一閾値Ｔ１の半分の値や、画像形成部２２の仕様上、用紙の左右方向に設けるべき余白領域の面積等に定めてもよい。
【０３３３】
これに合わせて、第二調整印刷処理を行う場合に、受付ジョブによる形成対象の画像Ｇを、第二面積ＢＳ２が０よりも大きい所定の値（以下、第二所定値と記載する）となるように拡大してもよい。第二所定値は、例えば、第二閾値Ｔ２の半分の値や、画像形成部２２の仕様上、用紙の上下方向に設けるべき余白領域の面積等に定めてもよい。
【０３３４】
この場合の具体例について図２５を用いて説明する。図２５は、図１８に示す具体例において、第二実施形態の（７）の変形実施形態における第一調整印刷処理及び第二調整印刷処理が行われたときの具体例を示す図である。図２５の第一列欄及び第二列欄については、図１８の第一列欄及び第二列欄と同じであるので説明を省略する。また、図２５において、図１８と同じ符号の部分についての説明も省略する。
【０３３５】
本具体例では、ステップＳＴ１２において第一調整印刷処理を行う場合に、受付ジョブによる形成対象の画像Ｇを、第一面積ＢＳ１が第一所定値となるように拡大するものとする。尚、第一所定値は、第一閾値Ｔ１の半分の値に定められているものとする。また、ステップＳＴ１２において第二調整印刷処理を行う場合に、受付ジョブによる形成対象の画像Ｇを、第二面積ＢＳ２が第二所定値となるように拡大するものとする。第二所定値は、第二閾値Ｔ２の半分の値に定められているものとする。
【０３３６】
この場合、図２５の第三列欄に示すように、調整印刷部３４は、ステップＳＴ１２において第一調整印刷処理を行う場合には、第一面積ＢＳ１が第一所定値になるように、つまり、第一面積ＢＳ１が、図２５の第一列欄の破線部の面積に相当する第一閾値Ｔ１の半分の面積（図２５の第三列欄の破線部）となるように、上下方向及び左右方向共に同じ比率で拡大した拡大画像Ｇ１１（図２５の第三列欄の黒塗部）を生成する。そして、調整印刷部３４は、画像形成部２２を制御して、当該生成した拡大画像Ｇ１１を用紙サイズ毎に分割した各画像Ｇ１１ａ、Ｇ１１ｂを、それぞれ一枚の用紙に形成させる。
【０３３７】
一方、図２５の第四列欄に示すように、調整印刷部３４は、ステップＳＴ１２において第二調整印刷処理を行う場合には、第二面積ＢＳ２が第二所定値になるように、つまり、第二面積ＢＳ２が、図２５の第一列欄の一点鎖線部の面積に相当する第二閾値Ｔ２の半分の面積（図２５の第四列欄の一点鎖線部）となるように、上下方向及び左右方向共に同じ比率で拡大した拡大画像Ｇ２１（図２５の第四列欄の黒塗部）を生成する。そして、調整印刷部３４は、画像形成部２２を制御して、当該生成した拡大画像Ｇ２１を一枚の用紙に形成させる。
【０３３８】
第二実施形態の（７）の変形実施形態の構成によれば、調整印刷処理の実行により、本来形成する対象の画像Ｇを、第一面積ＢＳ１又は第二面積ＢＳ２が小さくなるように拡大した拡大画像Ｇ１１、Ｇ２１を用紙に形成することができる。これにより、ユーザーは、左右方向又は上下方向に余白領域が少なくなるようにして拡大画像Ｇ１１、Ｇ１２が形成された、画像の視認がしやすい用紙を得ることができる。
【図１】
2016121774.tif 000003
【図２Ａ】
2016121774.tif 000004
【図２Ｂ】
2016121774.tif 000005
【図３】
2016121774.tif 000006
【図４Ａ】
2016121774.tif 000007
【図４Ｂ】
2016121774.tif 000008
【図４Ｃ】
2016121774.tif 000009
【図４Ｄ】
2016121774.tif 000010
【図５Ａ】
2016121774.tif 000011
【図５Ｂ】
2016121774.tif 000012
【図５Ｃ】
2016121774.tif 000013
【図６】
2016121774.tif 000014
【図７】
2016121774.tif 000015
【図８】
2016121774.tif 000016
【図９】
2016121774.tif 000017
【図１０Ａ】
2016121774.tif 000018
【図１０Ｂ】
2016121774.tif 000019
【図１０Ｃ】
2016121774.tif 000020
【図１１Ａ】
2016121774.tif 000021
【図１１Ｂ】
2016121774.tif 000022
【図１１Ｃ】
2016121774.tif 000023
【図１１Ｄ】
2016121774.tif 000024
【図１２Ａ】
2016121774.tif 000025
【図１２Ｂ】
2016121774.tif 000026
【図１３Ａ】
2016121774.tif 000027
【図１３Ｂ】
2016121774.tif 000028
【図１４】
2016121774.tif 000029
【図１５】
2016121774.tif 000030
【図１６】
2016121774.tif 000031
【図１７】
2016121774.tif 000032
【図１８】
2016121774.tif 000033
【図１９】
2016121774.tif 000034
【図２０】
2016121774.tif 000035
【図２１Ａ】
2016121774.tif 000036
【図２１Ｂ】
2016121774.tif 000037
【図２１Ｃ】
2016121774.tif 000038
【図２１Ｄ】
2016121774.tif 000039
【図２２】
2016121774.tif 000040
【図２３】
2016121774.tif 000041
【図２４】
2016121774.tif 000042
【図２５】
2016121774.tif 000043
【国際調査報告】
2016121774.tif 000044
2016121774.tif 000045
2016121774.tif 000046
2016121774.tif 000047